(57)【要約】  本発明は、コンテンツダウンロードサービスの様々な運用形態に対応するシステムを実現することができるコンテンツダウンロードシステムおよびコンテンツダウンロード方法、コンテンツ供給装置およびコンテンツ供給方法、コンテンツ受信装置およびコンテンツ受信方法、並びにプログラムに関する。図７は、コンテンツとともにダウンロードされる再生制御メタファイル４１の記述例を示している。再生制御メタファイル４１には、<content_title>、<drm_server_uri>、<license_id>、<license_type>、<license_description>、<user_confirmation>、<user_messsage>、<price>が記述される。単一のコンテンツに対して、複数のライセンスが設定される場合、<license_id>乃至<price>の項目は、設定されているライセンスの数だけ記述される。本発明は、コンテンツダウンロードサービスに適用できる。
2008146913.tif 000002
【特許請求の範囲】
【請求項１】
コンテンツを供給するコンテンツ供給装置と、ネットワークを介して前記コンテンツ供給装置からコンテンツを受信するコンテンツ受信装置とからなるコンテンツダウンロードシステムにおいて、
前記コンテンツ受信装置は、
ユーザの操作を入力する操作入力手段と、
前記ユーザの操作に対応し、暗号化されたコンテンツと前記コンテンツを再生するために必要な再生制御データを前記コンテンツ供給装置からダウンロードするダウンロード手段と、
ダウンロードされた前記コンテンツを再生するとき、前記再生制御データに基づいて、前記暗号化されたコンテンツを復号するための鍵を含むライセンスの有無を確認し、確認結果に対応して前記ライセンスを取得する取得手段と、
取得された前記ライセンスを用いて、前記暗号化されたコンテンツを再生する再生手段とを含み、
前記コンテンツ供給装置は、
前記コンテンツ受信装置からの要求に応じ、ダウンロード済みのコンテンツを再生するために必要な前記再生制御データを供給する制御データ供給手段と、
前記コンテンツ受信装置からの要求に応じ、前記暗号化されたコンテンツを供給するコンテンツ供給手段と、
前記再生制御データに基づく前記コンテンツ受信装置からの要求に応じ、前記暗号化されたコンテンツを復号するための鍵を含む前記ライセンスを供給するライセンス供給手段とを含み、
前記再生制御データには、ライセンスの固有識別情報、ライセンスのタイプ情報、およびライセンスに関してユーザに提示すべき提示情報を含むライセンス情報が少なくとも１組以上記述されている
コンテンツダウンロードシステム。
【請求項２】
コンテンツを供給するコンテンツ供給装置と、ネットワークを介して前記コンテンツ供給装置からコンテンツを受信するコンテンツ受信装置とからなるコンテンツダウンロードシステムのコンテンツダウンロード方法において、
前記コンテンツ受信装置により、
ユーザの操作を入力し、
前記ユーザの操作に対応し、暗号化されたコンテンツと前記コンテンツを再生するために必要な再生制御データを前記コンテンツ供給装置に要求し、
前記コンテンツ供給装置により、
前記コンテンツ受信装置からの要求に応じ、前記暗号化されたコンテンツと前記再生制御データを供給し、
前記コンテンツ受信装置により、
ダウンロードされた前記コンテンツを再生するとき、前記再生制御データに基づいて、前記暗号化されたコンテンツを復号するための鍵を含むライセンスの有無を確認し、確認結果に対応して前記ライセンスを前記コンテンツ供給装置に要求し、
前記コンテンツ供給装置により、
前記再生制御データに基づく前記コンテンツ受信装置からの要求に応じ、前記ライセンスを前記コンテンツ供給装置に供給し、
前記コンテンツ受信装置により、
取得された前記ライセンスを用いて、前記暗号化されたコンテンツを再生する
ステップを含み、
前記再生制御データには、ライセンスの固有識別情報、ライセンスのタイプ情報、およびライセンスに関してユーザに提示すべき提示情報を含むライセンス情報が少なくとも１組以上記述されている
コンテンツダウンロード方法。
【請求項３】
ネットワーク介して接続されたコンテンツ受信装置にコンテンツを供給するコンテンツ供給装置において、
前記コンテンツ受信装置がダウンロードしたコンテンツを再生するために必要な再生制御データを前記コンテンツ受信装置に供給する制御データ供給手段と、
前記コンテンツ受信装置からの要求に応じ、暗号化されたコンテンツを供給するコンテンツ供給手段と、
前記再生制御データに基づく前記コンテンツ受信装置からの要求に応じ、前記暗号化されたコンテンツを復号するための鍵を含む前記ライセンスを供給するライセンス供給手段とを含み、
前記再生制御データには、ライセンスの固有識別情報、ライセンスのタイプ情報、およびライセンスに関してユーザに提示すべき提示情報を含むライセンス情報が少なくとも１組以上記述されている
コンテンツ供給装置。
【請求項４】
前記ライセンスのタイプ情報には、前記コンテンツの再生可能期間に制限が設けられているライセンスであることを示す通常再生、前記通常再生に対応する再生可能期間が終了した後に再生可能期間を延長したライセンスであることを示す追加再生、試視聴用のライセンスであることを示すプレビュ再生、コンテンツをダウンロードしながら再生するできるライセンスであることを示すプログレッシブダウンロード再生、または前記コンテンツを前記コンテンツ受信装置から外部機器に出力して記録することが許容されたライセンスであることを示すエキスポートのうち、少なくとも１つが記述されている
請求項３に記載のコンテンツ供給装置。
【請求項５】
前記ライセンス供給手段は、前記再生制御データに基づく前記コンテンツ受信装置からの要求に応じ、前記通常再生のライセンスに対応する再生可能期間が終了した後、前記追加再生のライセンスを供給する
請求項４に記載のコンテンツ供給装置。
【請求項６】
前記ライセンス供給手段は、前記再生制御データに基づく前記コンテンツ受信装置からの要求に応じ、同一のコンテンツに対して前記プレビュ再生のライセンスを１回だけ供給する
請求項３に記載のコンテンツ供給装置。
【請求項７】
前記ライセンス供給手段は、前記再生制御データに基づく前記コンテンツ受信装置からの要求に応じ、コンテンツのダウンロード中にだけ、前記プログレッシブダウンロード再生のライセンスを供給する
請求項３に記載のコンテンツ供給装置。
【請求項８】
前記再生制御データには、ライセンスの固有識別情報、ライセンスのタイプ情報、ライセンスの取得時にコンテンツ受信装置のユーザの承諾を得るか否かを示す承諾情報、およびライセンスに関してユーザに提示すべき提示情報を含むライセンス情報が少なくとも１組以上記述されている
請求項３に記載のコンテンツ供給装置。
【請求項９】
ネットワーク介して接続されたコンテンツ受信装置にコンテンツを供給するコンテンツ供給装置のコンテンツ供給方法において、
前記コンテンツ受信装置がダウンロードしたコンテンツを再生するために必要な再生制御データを前記コンテンツ受信装置に供給し、
前記コンテンツ受信装置からの要求に応じ、暗号化されたコンテンツを供給し、
前記再生制御データに基づく前記コンテンツ受信装置からの要求に応じ、前記暗号化されたコンテンツを復号するための鍵を含む前記ライセンスを供給するステップを含み、
前記再生制御データには、ライセンスの固有識別情報、ライセンスのタイプ情報、およびライセンスに関してユーザに提示すべき提示情報を含むライセンス情報が少なくとも１組以上記述されている
コンテンツ供給方法。
【請求項１０】
ネットワーク介して接続されたコンテンツ受信装置にコンテンツを供給するコンテンツ供給装置の制御用のプログラムであって、
前記コンテンツ受信装置がダウンロードしたコンテンツを再生するために必要な再生制御データを前記コンテンツ受信装置に供給し、
前記コンテンツ受信装置からの要求に応じ、暗号化されたコンテンツを供給し、
前記再生制御データに基づく前記コンテンツ受信装置からの要求に応じ、前記暗号化されたコンテンツを復号するための鍵を含む前記ライセンスを供給するステップを含み、
前記再生制御データには、ライセンスの固有識別情報、ライセンスのタイプ情報、およびライセンスに関してユーザに提示すべき提示情報を含むライセンス情報が少なくとも１組以上記述されている
処理をコンピュータに実行させるプログラム。
【請求項１１】
ネットワークを介して接続したコンテンツ供給装置からコンテンツを受信するコンテンツ受信装置において、
ユーザの操作を入力する操作入力手段と、
前記ユーザの操作に対応し、暗号化されたコンテンツと前記コンテンツを再生するために必要な再生制御データを前記コンテンツ供給装置からダウンロードするダウンロード手段と、
ダウンロードされた前記コンテンツを再生するとき、前記再生制御データに基づいて、前記暗号化されたコンテンツを復号するための鍵を含むライセンスの有無を確認し、確認結果に対応して前記ライセンスを取得する取得手段と、
取得された前記ライセンスを用いて、前記暗号化されたコンテンツを再生する再生手段とを含み、
前記再生制御データには、ライセンスの固有識別情報、ライセンスのタイプ情報、およびライセンスに関してユーザに提示すべき提示情報を含むライセンス情報が少なくとも１組以上記述されている
コンテンツ受信装置。
【請求項１２】
前記再生手段によって暗号が復号された前記コンテンツを、符号化方式の変換処理、または再暗号化処理の少なくとも一方の処理を行って前記外部機器に出力する出力手段を
さらに含む請求項１１に記載のコンテンツ受信装置。
【請求項１３】
前記ライセンスのタイプ情報には、前記コンテンツの再生可能期間に制限が設けられているライセンスであることを示す通常再生、前記通常再生に対応する再生可能期間が終了した後に再生可能期間を延長したライセンスであることを示す追加再生、試視聴用のライセンスであることを示すプレビュ再生、コンテンツをダウンロードしながら再生するできるライセンスであることを示すプログレッシブダウンロード再生、または前記コンテンツを前記コンテンツ受信装置から外部機器に出力して記録することが許容されたライセンスであることを示すエキスポートのうち、少なくとも１つが記述されている
請求項１２に記載のコンテンツ受信装置。
【請求項１４】
前記操作入力手段は、前記通常再生のライセンスに対応する再生可能期間が終了した後、前記追加再生のライセンスの取得を承諾するユーザの操作を受け付ける
請求項１３に記載のコンテンツ受信装置。
【請求項１５】
前記操作入力手段は、前記通常再生のライセンスに対応する再生可能期間が終了した後、前記追加再生のライセンスの取得を指示するユーザの操作を受け付ける
請求項１３に記載のコンテンツ受信装置。
【請求項１６】
前記操作入力手段は、前記再生制御データに基づく前記再生手段からの要求に応じ、同一のコンテンツに対して前記プレビュ再生のライセンスの取得を指示するユーザの操作を１回だけ受け付ける
請求項１３に記載のコンテンツ受信装置。
【請求項１７】
前記操作入力手段は、前記再生制御データに基づく前記再生手段からの要求に応じ、コンテンツのダウンロード中にだけ、前記プログレッシブダウンロード再生のライセンスの取得を指示するユーザの操作を受け付ける
請求項１３に記載のコンテンツ受信装置。
【請求項１８】
前記再生制御データには、ライセンスの固有識別情報、ライセンスのタイプ情報、ライセンスの取得時にコンテンツ受信装置のユーザの承諾を得るか否かを示す承諾情報、およびライセンスに関してユーザに提示すべき提示情報を含むライセンス情報が少なくとも１組以上記述されており、
前記承諾情報に従ってユーザに前記ライセンスの取得の承諾を確認する確認手段をさらに含む
請求項１１に記載のコンテンツ受信装置。
【請求項１９】
前記確認手段によってユーザの承諾が得られた場合、
前記取得手段は、前記ライセンスを取得し、
前記確認手段によってユーザの承諾が得られなかった場合、
前記再生手段は、コンテンツの再生が不可能であることをユーザに通知する
請求項１８に記載のコンテンツ受信装置。
【請求項２０】
ネットワークを介して接続したコンテンツ供給装置からコンテンツを受信するコンテンツ受信装置のコンテンツ受信方法において、
ユーザの操作を入力し、
前記ユーザの操作に対応し、暗号化されたコンテンツと前記コンテンツを再生するために必要な再生制御データを前記コンテンツ供給装置からダウンロードし、
ダウンロードされた前記コンテンツを再生するとき、前記再生制御データに基づいて、前記暗号化されたコンテンツを復号するための鍵を含むライセンスの有無を確認し、確認結果に対応して前記ライセンスを取得し、
取得された前記ライセンスを用いて、前記暗号化されたコンテンツを再生するステップを含み、
前記再生制御データには、ライセンスの固有識別情報、ライセンスのタイプ情報、およびライセンスに関してユーザに提示すべき提示情報を含むライセンス情報が少なくとも１組以上記述されている
コンテンツ受信方法。
【請求項２１】
ネットワークを介して接続したコンテンツ供給装置からコンテンツを受信するコンテンツ受信装置の制御用のプログラムであって、
ユーザの操作を入力し、
前記ユーザの操作に対応し、暗号化されたコンテンツと前記コンテンツを再生するために必要な再生制御データを前記コンテンツ供給装置からダウンロードし、
ダウンロードされた前記コンテンツを再生するとき、前記再生制御データに基づいて、前記暗号化されたコンテンツを復号するための鍵を含むライセンスの有無を確認し、確認結果に対応して前記ライセンスを取得し、
取得された前記ライセンスを用いて、前記暗号化されたコンテンツを再生するステップを含み、
前記再生制御データには、ライセンスの固有識別情報、ライセンスのタイプ情報、およびライセンスに関してユーザに提示すべき提示情報を含むライセンス情報が少なくとも１組以上記述されている
処理をコンピュータに実行させるプログラム。
【発明の詳細な説明】
【技術分野】
【０００１】
本発明は、コンテンツダウンロードシステムおよびコンテンツダウンロード方法、コンテンツ供給装置およびコンテンツ供給方法、コンテンツ受信装置およびコンテンツ受信方法、並びにプログラムに関し、特に、ダウンロードしたコンテンツの様々な利用方法にそれぞれ対応してライセンスを付与するようにしたコンテンツダウンロードサービスを実現する場合に用いて好適なコンテンツダウンロードシステムおよびコンテンツダウンロード方法、コンテンツ供給装置およびコンテンツ供給方法、コンテンツ受信装置およびコンテンツ受信方法、並びにプログラムに関する。
【背景技術】
【０００２】
インタネットに代表される高速データ通信ネットワークの普及に伴い、既に楽曲、映像、コンピュータプログラムなどの様々なコンテンツを商品とするコンテンツダウンロードサービスが存在する（例えば、特許文献１参照）。【０００３】
しかしながら、既存のコンテンツダウンロードサービスはいずれもパーソナルコンピュータ向けのサービスであって、例えばテレビジョン受像機のように誰もが容易に利用できるものとは言い難い。【０００４】
特に映像（対応する音声や字幕を含む）を商品としたコンテンツダウンロードサービスの場合、その本格的なサービスは実施されておらず、ほとんどが試験的なものであって、前払い固定料金で映像コンテンツを見放題とし、任意のタイミングでダウンロードを実行させる形態、プリペイド方式とし、映像コンテンツがダウンロードされる毎にプリペイド額の残高を減らす形態などのように基本的な運用形態だけが実現されているにすぎない。【０００５】
【特許文献１】特開２０００−１１３０６６号公報
【発明の開示】
【発明が解決しようとする課題】
【０００６】
また、映像コンテンツを商品とするコンテンツダウンロードサービスを本格的に実施するに際しては、上述した基本的な運用形態のみならず、様々な運用形態が想定される。【０００７】
ここで運用形態とは、課金タイミング、ダウンロードタイミング、コンテンツの利用期間制限、コンテンツのコピー制限などの組み合わせを指すものとする。【０００８】
本発明はこのような状況に鑑みてなされたものであり、コンテンツダウンロードサービスの様々な運用形態に対応できるシステムを実現するものである。
【課題を解決するための手段】
【０００９】
本発明の第１の側面であるコンテンツダウンロードシステムは、コンテンツを供給するコンテンツ供給装置と、ネットワークを介して前記コンテンツ供給装置からコンテンツを受信するコンテンツ受信装置とからなるコンテンツダウンロードシステムにおいて、前記コンテンツ受信装置が、ユーザの操作を入力する操作入力手段と、前記ユーザの操作に対応し、暗号化されたコンテンツと前記コンテンツを再生するために必要な再生制御データを前記コンテンツ供給装置からダウンロードするダウンロード手段と、ダウンロードされた前記コンテンツを再生するとき、前記再生制御データに基づいて、前記暗号化されたコンテンツを復号するための鍵を含むライセンスの有無を確認し、確認結果に対応して前記ライセンスを取得する取得手段と、取得された前記ライセンスを用いて、前記暗号化されたコンテンツを再生する再生手段とを含み、前記コンテンツ供給装置が、前記コンテンツ受信装置からの要求に応じ、ダウンロード済みのコンテンツを再生するために必要な前記再生制御データを供給する制御データ供給手段と、前記コンテンツ受信装置からの要求に応じ、前記暗号化されたコンテンツを供給するコンテンツ供給手段と、前記再生制御データに基づく前記コンテンツ受信装置からの要求に応じ、前記暗号化されたコンテンツを復号するための鍵を含む前記ライセンスを供給するライセンス供給手段とを含み、前記再生制御データには、ライセンスの固有識別情報、ライセンスのタイプ情報、およびライセンスに関してユーザに提示すべき提示情報を含むライセンス情報が少なくとも１組以上記述されている。【００１０】
本発明の第１の側面であるコンテンツダウン方法は、コンテンツを供給するコンテンツ供給装置と、ネットワークを介して前記コンテンツ供給装置からコンテンツを受信するコンテンツ受信装置とからなるコンテンツダウンロードシステムのコンテンツダウンロード方法において、前記コンテンツ受信装置により、ユーザの操作を入力し、前記ユーザの操作に対応し、暗号化されたコンテンツと前記コンテンツを再生するために必要な再生制御データを前記コンテンツ供給装置に要求し、前記コンテンツ供給装置により、前記コンテンツ受信装置からの要求に応じ、前記暗号化されたコンテンツと前記再生制御データを供給し、前記コンテンツ受信装置により、ダウンロードされた前記コンテンツを再生するとき、前記再生制御データに基づいて、前記暗号化されたコンテンツを復号するための鍵を含むライセンスの有無を確認し、確認結果に対応して前記ライセンスを前記コンテンツ供給装置に要求し、前記コンテンツ供給装置により、前記再生制御データに基づく前記コンテンツ受信装置からの要求に応じ、前記ライセンスを前記コンテンツ供給装置に供給し、前記コンテンツ受信装置により、取得された前記ライセンスを用いて、前記暗号化されたコンテンツを再生するステップを含み、前記再生制御データには、ライセンスの固有識別情報、ライセンスのタイプ情報、およびライセンスに関してユーザに提示すべき提示情報を含むライセンス情報が少なくとも１組以上記述されている。【００１１】
本発明の第１の側面においては、コンテンツ受信装置により、ユーザの操作に対応し、暗号化されたコンテンツとコンテンツを再生するために必要な再生制御データがコンテンツ供給装置に要求され、この要求に応じ、暗号化されたコンテンツと再生制御データが供給される。そして、コンテンツ受信装置により、ダウンロードされたコンテンツを再生するとき、再生制御データに基づいて、暗号化されたコンテンツを復号するための鍵を含むライセンスの有無が確認され、確認結果に対応してライセンスがコンテンツ供給装置に要求され、この要求に応じ、前記ライセンスが前記コンテンツ供給装置に供給される。そして、コンテンツ受信装置により、取得されたライセンスを用いて、暗号化されたコンテンツが再生される。なお、再生制御データには、ライセンスの固有識別情報、ライセンスのタイプ情報、およびライセンスに関してユーザに提示すべき提示情報を含むライセンス情報が少なくとも１組以上記述されている。【００１２】
本発明の第２の側面であるコンテンツ供給装置は、ネットワーク介して接続されたコンテンツ受信装置にコンテンツを供給するコンテンツ供給装置において、前記コンテンツ受信装置がダウンロードしたコンテンツを再生するために必要な再生制御データを前記コンテンツ受信装置に供給する制御データ供給手段と、前記コンテンツ受信装置からの要求に応じ、暗号化されたコンテンツを供給するコンテンツ供給手段と、前記再生制御データに基づく前記コンテンツ受信装置からの要求に応じ、前記暗号化されたコンテンツを復号するための鍵を含む前記ライセンスを供給するライセンス供給手段とを含み、前記再生制御データには、ライセンスの固有識別情報、ライセンスのタイプ情報、およびライセンスに関してユーザに提示すべき提示情報を含むライセンス情報が少なくとも１組以上記述されている。【００１３】
前記ライセンスのタイプ情報には、前記コンテンツの再生可能期間に制限が設けられているライセンスであることを示す通常再生、前記通常再生に対応する再生可能期間が終了した後に再生可能期間を延長したライセンスであることを示す追加再生、試視聴用のライセンスであることを示すプレビュ再生、コンテンツをダウンロードしながら再生するできるライセンスであることを示すプログレッシブダウンロード再生、または前記コンテンツを前記コンテンツ受信装置から外部機器に出力して記録することが許容されたライセンスであることを示すエキスポートのうち、少なくとも１つが記述されているようにすることができる。【００１４】
前記ライセンス供給手段は、前記再生制御データに基づく前記コンテンツ受信装置からの要求に応じ、前記通常再生のライセンスに対応する再生可能期間が終了した後、前記追加再生のライセンスを供給するようにすることができる。【００１５】
前記ライセンス供給手段は、前記再生制御データに基づく前記コンテンツ受信装置からの要求に応じ、同一のコンテンツに対して前記プレビュ再生のライセンスを１回だけ供給するようにすることができる。【００１６】
前記ライセンス供給手段は、前記再生制御データに基づく前記コンテンツ受信装置からの要求に応じ、コンテンツのダウンロード中にだけ、前記プログレッシブダウンロード再生のライセンスを供給するようにすることができる。【００１７】
前記再生制御データには、ライセンスの固有識別情報、ライセンスのタイプ情報、ライセンスの取得時にコンテンツ受信装置のユーザの承諾を得るか否かを示す承諾情報、およびライセンスに関してユーザに提示すべき提示情報を含むライセンス情報が少なくとも１組以上記述されているようにすることができる。【００１８】
本発明の第２の側面であるコンテンツ供給方法は、ネットワーク介して接続されたコンテンツ受信装置にコンテンツを供給するコンテンツ供給装置のコンテンツ供給方法において、前記コンテンツ受信装置がダウンロードしたコンテンツを再生するために必要な再生制御データを前記コンテンツ受信装置に供給し、前記コンテンツ受信装置からの要求に応じ、暗号化されたコンテンツを供給し、前記再生制御データに基づく前記コンテンツ受信装置からの要求に応じ、前記暗号化されたコンテンツを復号するための鍵を含む前記ライセンスを供給するステップを含み、前記再生制御データには、ライセンスの固有識別情報、ライセンスのタイプ情報、およびライセンスに関してユーザに提示すべき提示情報を含むライセンス情報が少なくとも１組以上記述されている。【００１９】
本発明の第２の側面であるプログラムは、ネットワーク介して接続されたコンテンツ受信装置にコンテンツを供給するコンテンツ供給装置の制御用のプログラムであって、前記コンテンツ受信装置がダウンロードしたコンテンツを再生するために必要な再生制御データを前記コンテンツ受信装置に供給し、前記コンテンツ受信装置からの要求に応じ、暗号化されたコンテンツを供給し、前記再生制御データに基づく前記コンテンツ受信装置からの要求に応じ、前記暗号化されたコンテンツを復号するための鍵を含む前記ライセンスを供給するステップを含み、前記再生制御データには、ライセンスの固有識別情報、ライセンスのタイプ情報、およびライセンスに関してユーザに提示すべき提示情報を含むライセンス情報が少なくとも１組以上記述されている処理をコンピュータに実行させる。【００２０】
本発明の第２の側面においては、コンテンツ受信装置がダウンロードしたコンテンツを再生するために必要な再生制御データがコンテンツ受信装置に供給され、コンテンツ受信装置からの要求に応じ、暗号化されたコンテンツが供給され、再生制御データに基づくコンテンツ受信装置からの要求に応じ、暗号化されたコンテンツを復号するための鍵を含むライセンスが供給される。なお、再生制御データには、ライセンスの固有識別情報、ライセンスのタイプ情報、およびライセンスに関してユーザに提示すべき提示情報を含むライセンス情報が少なくとも１組以上記述されている。【００２１】
本発明の第３の側面であるコンテンツ受信装置は、ネットワークを介して接続したコンテンツ供給装置からコンテンツを受信するコンテンツ受信装置において、ユーザの操作を入力する操作入力手段と、前記ユーザの操作に対応し、暗号化されたコンテンツと前記コンテンツを再生するために必要な再生制御データを前記コンテンツ供給装置からダウンロードするダウンロード手段と、ダウンロードされた前記コンテンツを再生するとき、前記再生制御データに基づいて、前記暗号化されたコンテンツを復号するための鍵を含むライセンスの有無を確認し、確認結果に対応して前記ライセンスを取得する取得手段と、取得された前記ライセンスを用いて、前記暗号化されたコンテンツを再生する再生手段とを含み、前記再生制御データには、ライセンスの固有識別情報、ライセンスのタイプ情報、およびライセンスに関してユーザに提示すべき提示情報を含むライセンス情報が少なくとも１組以上記述されている。【００２２】
本発明の第３の側面であるコンテンツ受信装置は、前記再生手段によって暗号が復号された前記コンテンツを、符号化方式の変換処理、または再暗号化処理の少なくとも一方の処理を行って前記外部機器に出力する出力手段をさらに含むことができる。【００２３】
前記ライセンスのタイプ情報には、前記コンテンツの再生可能期間に制限が設けられているライセンスであることを示す通常再生、前記通常再生に対応する再生可能期間が終了した後に再生可能期間を延長したライセンスであることを示す追加再生、試視聴用のライセンスであることを示すプレビュ再生、コンテンツをダウンロードしながら再生するできるライセンスであることを示すプログレッシブダウンロード再生、または前記コンテンツを前記コンテンツ受信装置から外部機器に出力して記録することが許容されたライセンスであることを示すエキスポートのうち、少なくとも１つが記述されているようにすることができる。【００２４】
前記操作入力手段は、前記通常再生のライセンスに対応する再生可能期間が終了した後、前記追加再生のライセンスの取得を承諾するユーザの操作を受け付けるようにすることができる。【００２５】
前記操作入力手段は、前記通常再生のライセンスに対応する再生可能期間が終了した後、前記追加再生のライセンスの取得を指示するユーザの操作を受け付けるようにすることができる。【００２６】
前記操作入力手段は、前記再生制御データに基づく前記再生手段からの要求に応じ、同一のコンテンツに対して前記プレビュ再生のライセンスの取得を指示するユーザの操作を１回だけ受け付けるようにすることができる。【００２７】
前記操作入力手段は、前記再生制御データに基づく前記再生手段からの要求に応じ、コンテンツのダウンロード中にだけ、前記プログレッシブダウンロード再生のライセンスの取得を指示するユーザの操作を受け付けるようにすることができる。【００２８】
前記再生制御データには、ライセンスの固有識別情報、ライセンスのタイプ情報、ライセンスの取得時にコンテンツ受信装置のユーザの承諾を得るか否かを示す承諾情報、およびライセンスに関してユーザに提示すべき提示情報を含むライセンス情報が少なくとも１組以上記述されており、本発明の第３の側面であるコンテンツ受信装置は、前記承諾情報に従ってユーザに前記ライセンスの取得の承諾を確認する確認手段をさらに含むことができる。
前記確認手段によってユーザの承諾が得られた場合、前記取得手段は、前記ライセンスを取得し、前記確認手段によってユーザの承諾が得られなかった場合、前記再生手段は、コンテンツの再生が不可能であることをユーザに通知するようにすることができる。【００２９】
本発明の第３の側面であるコンテンツ受信方法は、ネットワークを介して接続したコンテンツ供給装置からコンテンツを受信するコンテンツ受信装置のコンテンツ受信方法において、ユーザの操作を入力し、前記ユーザの操作に対応し、暗号化されたコンテンツと前記コンテンツを再生するために必要な再生制御データを前記コンテンツ供給装置からダウンロードし、ダウンロードされた前記コンテンツを再生するとき、前記再生制御データに基づいて、前記暗号化されたコンテンツを復号するための鍵を含むライセンスの有無を確認し、確認結果に対応して前記ライセンスを取得し、取得された前記ライセンスを用いて、前記暗号化されたコンテンツを再生するステップを含み、前記再生制御データには、ライセンスの固有識別情報、ライセンスのタイプ情報、およびライセンスに関してユーザに提示すべき提示情報を含むライセンス情報が少なくとも１組以上記述されている。【００３０】
本発明の第３の側面であるプログラムは、ネットワークを介して接続したコンテンツ供給装置からコンテンツを受信するコンテンツ受信装置の制御用のプログラムであって、ユーザの操作を入力し、前記ユーザの操作に対応し、暗号化されたコンテンツと前記コンテンツを再生するために必要な再生制御データを前記コンテンツ供給装置からダウンロードし、ダウンロードされた前記コンテンツを再生するとき、前記再生制御データに基づいて、前記暗号化されたコンテンツを復号するための鍵を含むライセンスの有無を確認し、確認結果に対応して前記ライセンスを取得し、取得された前記ライセンスを用いて、前記暗号化されたコンテンツを再生するステップを含み、前記再生制御データには、ライセンスの固有識別情報、ライセンスのタイプ情報、およびライセンスに関してユーザに提示すべき提示情報を含むライセンス情報が少なくとも１組以上記述されている処理をコンピュータに実行させる。【００３１】
本発明の第３の側面においては、ユーザの操作に対応し、暗号化されたコンテンツとコンテンツを再生するために必要な再生制御データがコンテンツ供給装置からダウンロードされ、ダウンロードされたコンテンツを再生するとき、再生制御データに基づいて、暗号化されたコンテンツを復号するための鍵を含むライセンスの有無が確認され、確認結果に対応してライセンスが取得され、取得されたライセンスを用いて、暗号化されたコンテンツが再生される。なお、再生制御データには、ライセンスの固有識別情報、ライセンスのタイプ情報、およびライセンスに関してユーザに提示すべき提示情報を含むライセンス情報が少なくとも１組以上記述されている。
【発明の効果】
【００３２】
本発明の第１の側面によれば、コンテンツダウンロードサービスの様々な運用形態に対応可能なシステムを提供することができる。【００３３】
本発明の第２の側面によれば、コンテンツダウンロードサービスの様々な運用形態に対応し、コンテンツを受信装置に供給することができる。【００３４】
本発明の第３の側面によれば、コンテンツダウンロードサービスの様々な運用形態に対応してコンテンツをダウンロードし、利用することができる。
【図面の簡単な説明】
【００３５】
【図１】本発明を適用したコンテンツダウンロードシステムの概念図である。
【図２】コンテンツのダウンロードタイミングと再生タイミングを示す図である。
【図３】コンテンツダウンロードシステムの構成例を示すブロック図である。
【図４】コンテンツの再生過程を説明する図である。
【図５】コンテンツのエキスポート過程を説明する図である。
【図６】ダウンロード制御メタファイルの記述例を示す図である。
【図７】再生制御メタファイルの記述例を示す図である。
【図８】ダウンロード処理の概要を説明する図である。
【図９】ダウンロード処理を説明するタイミングチャートである。
【図１０】ダウンローダによるダウンロード処理を説明するフローチャートである。
【図１１】ローカルコンテンツの再生処理の概要を説明する図である。
【図１２】ローカルコンテンツの再生処理を説明するタイミングチャートである。
【図１３】ローカルコンテンツの再生処理を説明するフローチャートである。
【図１４】ローカルコンテンツのエキスポート処理の概要を説明する図である。
【図１５】ローカルコンテンツのエキスポート処理を説明するタイミングチャートである。
【図１６】ローカルコンテンツのエキスポート処理を説明するフローチャートである。
【図１７】パターンａの運用形態に対応する画面遷移を示す図である。
【図１８】パターンａの運用形態に対応する処理シーケンスを示す図である。
【図１９】パターンａの運用形態に対応するダウンロード制御メタファイルの記述例を示す図である。
【図２０】パターンａの運用形態に対応するダウンロード制御メタファイルの記述例を示す図である。
【図２１】パターンｂの運用形態に対応する画面遷移を示す図である。
【図２２】パターンｂの運用形態に対応する処理シーケンスを示す図である。
【図２３】パターンｂの運用形態に対応するダウンロード制御メタファイルの記述例を示す図である。
【図２４】パターンｂの運用形態に対応するダウンロード制御メタファイルの記述例を示す図である。
【図２５】パターンｃの運用形態に対応する画面遷移を示す図である。
【図２６】パターンｃの運用形態に対応する処理シーケンスを示す図である。
【図２７】パターンｃの運用形態に対応するダウンロード制御メタファイルの記述例を示す図である。
【図２８】パターンｃの運用形態に対応するダウンロード制御メタファイルの記述例を示す図である。
【図２９】パターンｄの運用形態に対応する画面遷移を示す図である。
【図３０】パターンｄの運用形態に対応する処理シーケンスを示す図である。
【図３１】パターンｄの運用形態に対応するダウンロード制御メタファイルの記述例を示す図である。
【図３２】パターンｄの運用形態に対応するダウンロード制御メタファイルの記述例を示す図である。
【図３３】パターンｅの運用形態に対応する画面遷移を示す図である。
【図３４】パターンｅの運用形態に対応する処理シーケンスを示す図である。
【図３５】パターンｅの運用形態に対応するダウンロード制御メタファイルの記述例を示す図である。
【図３６】パターンｅの運用形態に対応するダウンロード制御メタファイルの記述例を示す図である。
【図３７】パターンｆの運用形態に対応する画面遷移を示す図である。
【図３８】パターンｆの運用形態に対応する処理シーケンスを示す図である。
【図３９】パターンｆの運用形態に対応するダウンロード制御メタファイルの記述例を示す図である。
【図４０】パターンｆの運用形態に対応するダウンロード制御メタファイルの記述例を示す図である。
【図４１】パターンｇの運用形態に対応する画面遷移を示す図である。
【図４２】パターンｇの運用形態に対応する処理シーケンスを示す図である。
【図４３】パターンｇの運用形態に対応するダウンロード制御メタファイルの記述例を示す図である。
【図４４】パターンｇの運用形態に対応するダウンロード制御メタファイルの記述例を示す図である。
【図４５】汎用コンピュータの構成例を示すブロック図である。
【符号の説明】
【００３６】
１  コンテンツダウンロードシステム，  ２  ネットワーク，  １０  受信装置，  ２０  供給装置，  １１  ブラウザ，  １２  ダウンローダ，  １３  ストレージ，  １４  ECG，  １５  ＡＶプレイヤ，  １６  DRMクライアント，  １７  外部出力部，  ２１  Webサーバ，  ２２  顧客管理サーバ，  ２３  課金・決済サーバ，  ２４  メタデータサーバ，  ２５  コンテンツサーバ，  ２６  DRMサーバ，  ３１  ダウンロード制御メタファイル，  ４１  再生制御メタファイル
【発明を実施するための最良の形態】
【００３７】
以下、本発明を適用した具体的な実施の形態について、図面を参照しながら詳細に説明する。【００３８】
図１は、本発明の一実施の形態であるコンテンツダウンロードシステムの基本概念を示している。【００３９】
このコンテンツダウンロードシステム１は、コンテンツを利用するユーザの自宅などに設置される受信装置１０と、ネットワーク２を介して接続される受信装置１０からの要求に応じてコンテンツをダウンロードさせる供給装置２０から構成される。【００４０】
なお、本実施の形態において、ダウンロードとは、受信装置１０がネットワーク２を介して供給装置２０から供給されるコンテンツなどの電子データを受信して蓄積する処理を指すものとする。また、コンテンツとは、映像とそれに対応する音声を再生するためのＡＶデータ、それに対応する字幕データなどを含み、コンテンツ鍵によって暗号化されているものとする。コンテンツを利用するためには、その暗号を復号するためのコンテンツ鍵を含み利用条件などが記述されているライセンスが必要となる。【００４１】
ネットワーク２は、インタネットに代表されるデータ通信網であり、光ケーブルなどの有線によるものの他、無線によるもの、放送網を利用するものなどであってもよい。【００４２】
受信装置１０は、例えばテレビジョン受像機に内蔵されたり、テレビジョン受像機に外付けされたりするものを想定する。供給装置２０は、ネットワーク２上に設けられた複数のサーバ等によって構成される（詳細は図３を参照して後述する）。【００４３】
このコンテンツダウンロードシステム１によれば、図２に示すように、受信装置１０のユーザは、任意のコンテンツＡを供給装置２０からネットワーク２を介してダウンロードさせることができ、その後、受信装置１０に蓄積されているコンテンツＡを任意のタイミングで再生させたり、受信装置１０の外部に出力し、DVD(digital versatile disc)などの記録メディアに記録させたりすることができる。以下、ダウンロードしたコンテンツを受信装置１０の外部に出力して記録メディアに記録することを、エキスポートと称する。【００４４】
このように、コンテンツダウンロードシステム１においては、基本的にダウンロードされているコンテンツを利用（再生またはエキスポート）するので、ネットワーク２を介した受信装置１０と供給装置２０の間の通信速度は高速であることが望ましいが必須ではない。【００４５】
次に、コンテンツダウンロードシステム１を構成する受信装置１０と供給装置２０の詳細な構成例について、図３を参照して説明する。【００４６】
受信装置１０は、供給装置２０にアクセスしてHTML(Hypertext Markup Language)文書またはBML(Broadcast Markup Language)文書などを取得して対応するwebページを表示させるブラウザ１１、ブラウザ１１のヘルプアプリケーションであり、供給装置２０からコンテンツやそのメタデータを転送させてストレージ１３に蓄積するダウンローダ１２、ハードディスクドライブなどからなるストレージ１３、ダウンロード済みのコンテンツを利用するユーザのユーザインタフェースとして機能するECG１４、ダウンロード済みのコンテンツを再生するＡＶプレイヤ１５、暗号化された状態のコンテンツを復号するために必要なコンテンツ鍵を含むライセンスを供給装置２０から取得するDRM(Digital Rights Management)クライアント１６、およびＡＶプレイヤ１５によって再生されたコンテンツを受信装置１０の外部に出力する外部出力部１７から構成される。【００４７】
ブラウザ１１は、供給装置２０から取得するHTML文書、BML文書などに基づき、コンテンツダウンロードサービスの利用契約、コンテンツの購入、ダウンロードするコンテンツの選択などの操作をユーザがインタラクティブに実行できるwebページを表示させる。【００４８】
ダウンローダ１２は、HTML文書、BML文書などに基づくブラウザ１１の制御に応じて起動され、暗号化された状態のコンテンツとそれに対応するメタデータを供給装置２０から転送させてストレージ１３に蓄積させる。【００４９】
メタデータは、ダウンロード制御メタファイル３１（図６）と再生制御メタファイル４１（図７）の２種類がある。ダウンロード制御メタファイル３１は、コンテンツとそれに対応するライセンスおよび再生制御メタファイル４１を供給装置２０から転送させるための情報が記述されている。再生制御メタファイル４１には、対応するコンテンツを再生するために必要な情報が記述されている。【００５０】
さらに、ダウンローダ１２は、ストレージ１３に蓄積させたコンテンツのリストをユーザに提示するための情報であるメタＤＢ（データベース）１３Ａをメタデータの再生制御メタファイル４１に基づいて生成し、ストレージ１３に蓄積させる。【００５１】
ストレージ１３は、供給装置２０から転送されたコンテンツとそのメタデータを蓄積する。また、ダウンローダ１２によって生成されたメタＤＢ１３Ａを保持する。【００５２】
ECG１４は、レジデントアプリケーションであり、ストレージ１３に保持されたメタＤＢ１３Ａに基づき、ダウンロード済みコンテンツの一覧をユーザに提示し、再生（視聴）あるいはエキスポートするコンテンツをユーザに選択させるインタラクティブなGUI(Graphical User Interface)であるローカルコンテンツリストをユーザに提供する。【００５３】
ＡＶプレイヤ１５は、ECG１４によって起動され、再生すべきコンテンツをストレージ１３から読み出し、DRMクライアント１６から供給されるRMPIp（再生用利用条件情報）が示す条件が満たされるときだけ、DRMクライアント１６から供給されるコンテンツ鍵を用いて暗号化されているコンテンツを復号し、さらに符号化を復号することにより、ＡＶデータを再生し、対応する映像をディスプレイに表示させ、音声をスピーカ（いずれも不図示）から出力させる。【００５４】
また、ＡＶプレイヤ１５は、エキスポートすべきコンテンツをストレージ１３から読み出し、DRMクライアント１６から供給されるコンテンツ鍵を用いて暗号化されているコンテンツを復号し、復号結果の符号化データを外部出力部１７にする。【００５５】
DRMクライアント１６は、供給装置２０のDRMサーバ２６との間にセキュアな通信路を確立した後、コンテンツ鍵を含むライセンスをDRMサーバ２６から取得し、取得したライセンスを自身で保持する。そして、ＡＶプレイヤ１５からの要求に応じ、ライセンスに記述されている利用条件を満たす場合にのみ、コンテンツ鍵をＡＶプレイヤ１５に供給する。【００５６】
外部出力部１７は、DRMクライアント１６から供給されるRMPI（エキスポート用利用条件情報）が示す条件が満たされるときだけ、ＡＶプレイヤ１５からの符号化データを出力先（DVDなど記録メディア、再生装置、記録装置など）に対応して適宜、符号化方式を変換し、再び暗号化して後段の出力先に出力する。【００５７】
供給装置２０は、受信装置１０にインタラクティブなwebページを表示させるためのHTML文書、BML文書などを供給するWebサーバ２１、コンテンツダウンロードサービスの顧客に関する情報を管理する顧客管理サーバ２２、コンテンツダウンロードサービスの利用に際して決済を行う課金・決済サーバ２３、コンテンツに対応するメタデータを受信装置１０に転送するメタデータサーバ２４、コンテンツを受信装置１０に転送するコンテンツサーバ２５、および受信装置１０にライセンスを供給するDRMサーバ２６から構成される。【００５８】
Webサーバ２１は、受信装置１０のブラウザ１１からの要求に応じ、各種webページを表示させるためのHTML文書、BML文書などをブラウザ１１に供給する。顧客管理サーバ２２は、顧客（受信装置１０のユーザ）の顧客情報（例えば顧客ＩＤ、パスワード、決済用情報（クレジットカード番号等）、受信装置１０の機器ＩＤ、DRMクライアント１６のＩＤ(DRM ID)など）に、各顧客が購入したパッケージ（商品単位）やダウンロードしたコンテンツを対応付けて管理する。【００５９】
課金・決済サーバ２３は、顧客管理サーバ２２からの要請に応じ、顧客に対して課金・決済処理を行う。【００６０】
メタデータサーバ２４は、パッケージ（コンテンツの商品単位）やコンテンツに関わる情報を管理し、他のサーバに必要な情報を提供するとともに、受信装置１０のダウンローダ１２からの要求に応じて、ダウンロード制御メタファイル３１および再生制御メタファイル４１などのメタデータをダウンローダ１２に転送する。コンテンツサーバ２５は、受信装置１０のダウンローダ１２からの要求に応じて、コンテンツをダウンローダ１２に転送する。【００６１】
DRMサーバ２６は、受信装置１０のDRMクライアント１６との間にセキュアな通信路を確立した後、暗号化されたコンテンツを復号するためのコンテンツ鍵を含むライセンスをDRMクライアント１６に供給する。【００６２】
ライセンスには以下の種類がある。すなわち、再生用ライセンス（例えば、コンテンツの再生期限が７泊８日などとされているもの）、追加再生用ライセンス（例えば、再生期限を１泊追加するもの）、プレビュ（試視聴）用ライセンス（例えば、コンテンツの再生時間が１０分間に制限されているもの）、プログレッシブダウンロード用ライセンス（コンテンツをダウンロードしながら再生するためのもの、ダウンロード完了後は使用不可）、エキスポート用ライセンス（例えば、コンテンツをDVDに１回だけコピーできるもの）などの真のライセンスと、ダミーのライセンス（例えば、有効期限が極めて短時間に設定されていて実質的にコンテンツが利用できないもの）がある。DRMクライアント１６に供給されて保持されたライセンスは、その有効期限が切れると自動的に消去されるようになされている。【００６３】
なお、供給装置２０を構成するWebサーバ２１乃至DRMサーバ２６は、ネットワーク２上に集中して配置してもよいし、分散して配置してもよい。また、Webサーバ２１乃至DRMサーバ２６のうち、いくつかを組み合わせて構成してもよいし、１つのサーバにWebサーバ２１乃至DRMサーバ２６の機能を設けてもよい。【００６４】
次に、供給装置２０から受信装置１０に転送されて再生されるコンテンツについて、図４を参照して説明する。【００６５】
コンテンツを構成するＡＶデータは、供給装置２０のコンテンツサーバ２５において、所定の符号化方式（例えば、MPEG２方式）で圧縮符号化された後、字幕データなどとともにトランスポートストリーム（ＴＳ）化され、DRMサーバ２６にて生成されたコンテンツ鍵ＫｃによりＴＳパケット単位で暗号化された状態で受信装置１０に転送されてストレージ１３に蓄積される。【００６６】
一方、この暗号化された状態のコンテンツを復号するときに用いられるコンテンツ鍵Ｋｃは、コンテンツとは別途、供給装置２０のDRMサーバ２６から、RMPIp（再生用利用条件情報）とともにライセンスに包含された状態で受信装置１０のDRMクライアント１６に供給される。【００６７】
ストレージ１３に蓄積されたＴＳパケット単位で暗号化されているコンテンツは、ＡＶプレイヤ１５により、DRMクライアント１６から供給されるコンテンツ鍵Ｋｃによって暗号が復号され、その結果得られたMPEG２ＴＳが復号（デコード）される。ただし、DRMクライアント１６からコンテンツ鍵が供給されるのは、RMPIpに記述されている利用条件（利用期間、利用回数など）を満たしている場合に限られる。【００６８】
次に、供給装置２０から受信装置１０に転送されてエキスポートされるコンテンツについて、図５を参照して説明する。【００６９】
コンテンツは、上述したように、暗号化されて受信装置１０にダウンロードされる。一方、この暗号化された状態のコンテンツを復号するときに用いられるコンテンツ鍵Ｋｃは、コンテンツとは別途、供給装置２０のDRMサーバ２６から、RMPIe（エキスポート用利用条件情報）とともにライセンスに包含された状態で受信装置１０のDRMクライアント１６に供給される。【００７０】
ストレージ１３に蓄積されたＴＳパケット単位で暗号化されているコンテンツは、ＡＶプレイヤ１５により、DRMクライアント１６から供給されるコンテンツ鍵Ｋｃによって暗号が復号され、その結果得られたMPEG２ＴＳが外部出力部１７に供給される。外部出力部１７では、RMPIeに記述されている利用条件（コピー回数、出力先など）を満たしている場合だけ、MPEG２ＴＳが出力先に対応する符号化方式に変換され、再び暗号化されて後段に出力される。【００７１】
次に、受信装置１０が供給装置２０から取得するメタデータについて、図６および図７を参照して説明する。【００７２】
図６は、コンテンツとそれに対応するライセンスと再生制御メタファイル４１をダウンロードするために必要な情報が記述されているダウンロード制御メタファイル３１の記述例を示している。なお、ダウンロード制御メタファイル３１は、必ずしも１つのコンテンツに対応するものではなく、１つ以上のコンテンツからなるダウンロード単位に対応するものである。【００７３】
ダウンロード制御メタファイル３１において、<dl_unit_name>には、コンテンツのダウンロード単位の名称が記述される。<dl_timing>には、ダウンロード単位に含まれるコンテンツのダウンロードタイミング（即時、予約日時、定期）が記述される。【００７４】
なお、ダウンロード単位に複数のコンテンツが含まれる場合、以降の<criid>から<av_media>までの項目が、複数の各コンテンツに対応する分だけ記述される。【００７５】
<criid>には、ダウンロード単位に含まれるコンテンツのＩＤが記述される。<size>には、コンテンツのデータサイズが記述される。<cpc_meta>には、コンテンツを再生するために必要な情報が記述されている再生制御メタファイル４１の転送元であるメタデータサーバ２４のURI(Uniform Resource Identifier)が記述される。<av_media>には、コンテンツの転送元であるコンテンツサーバ２５のURIが記述される。【００７６】
<drm_server_uri>には、ダウンロード単位に対応するライセンスの取得先であるDRMサーバ２６のURIが記述される。<license_id>には、ダウンロード単位に対応するライセンスのＩＤが記述される。なお、ここに記述されるライセンスＩＤは、真のライセンス（コンテンツを利用することができるライセンス）のＩＤではなく、ダミーのライセンス（例えば有効期限が極めて短時間に設定されている、実質的にコンテンツを利用することができないライセンス）のＩＤを記述する場合がある（詳細後述）。【００７７】
なお、ダウンロード制御メタファイル３１に、さらに、コンテンツのダウンロード完了に対応してライセンスを取得するか否かを示す情報を追加記述するようにして、当該情報にコンテンツのダウンロード完了に対応してライセンスを取得することが示されている場合のみ、コンテンツのダウンロード完了に対応してライセンスを取得するようにしてもよい。【００７８】
図７は、コンテンツを再生するために必要な情報が記述されている再生制御メタファイル４１の記述例を示している。再生制御メタファイル４１は各コンテンツにそれぞれ対応して存在する。【００７９】
再生制御メタファイル４１において、<content_title>には、コンテンツの名称が記述される。<drm_server_uri>には、コンテンツに対応するライセンスの取得先であるDRMサーバ２６のURIが記述される。【００８０】
なお、単一のコンテンツに対して、再生用ライセンス、追加再生用ライセンス、エキスポート用ライセンスなど、様々なライセンスが設定されている場合、以下の<license_id>乃至<price>の項目は、設定されているライセンスの数だけ記述される。【００８１】
<license_id>には、コンテンツに対応するライセンスのＩＤが記述される。なお、ここに記述されるライセンスＩＤは、真のライセンスのＩＤである（詳細後述）。<license_type>には、ライセンスの種類（ライセンスタイプとも称する）が記述される。<license_description>には、ライセンスの利用条件に関してユーザに通知すべき情報が記述される。【００８２】
<user_confirmation>には、ライセンスの取得に際してユーザに確認するか否かがオン（確認する）、オフ（確認しない）により記述される。<user_messsage>には、ライセンスの取得に際してユーザに確認すべきメッセージが記述される。<price>には、ライセンスの取得、すなわち、コンテンツの利用に際して生じる課金金額が記述される。なお、<user_messsage>および<price>の項目は、<user_confirmation>がオン、すなわち、ライセンスの取得に際してユーザに確認する場合に記述される。【００８３】
なお、図７の表示例に記述されている項目の他、再生制御メタファイル４１には、コンテンツのチャプタ情報、トリックプレイ制御用のインデックス情報（各GOP毎の時間とサイズのマッピング情報）、符号化方式情報、音声・字幕切替情報などを追加することができる。【００８４】
次に、受信装置１０が供給装置２０からコンテンツなどをダウンロードする一連の処理の概要について、図８を参照して説明する。【００８５】
なお、この一連の処理の前提として、受信装置１０のユーザは、当該コンテンツダウンロードサービスの運営者側にサービス利用のための登録を済ませており、これにより、供給装置２０の顧客管理サーバ２２には、受信装置１０のユーザに関する顧客情報が登録されており、さらに購入したパッケージやダウンロード済みコンテンツの情報が対応付けて管理されているものとする。【００８６】
ユーザからの所定の操作に対応し、受信装置１０のブラウザ１１は、供給装置２０のWebサーバ２１にアクセスし、ダウンロード可能なコンテンツのリストなどからなるダウンロードナビゲーションページをユーザに提示する。このダウンロードナビゲーションページに対して、ユーザがコンテンツをダウンロード単位で選択する操作を行うと、ブラウザ１１によってダウンローダ１２が起動される。【００８７】
起動されたダウンローダ１２は、選択されたコンテンツのダウンロード単位に対応するダウンロード制御メタファイル３１をメタデータサーバ２４から取得する。なお、ここで取得するダウンロード制御メタファイル３１の取得元であるメタデータサーバ２４のURIは、ダウンロードナビゲーションページのHTML文書などに記述されている。【００８８】
ダウンロード制御メタファイル３１を取得したダウンローダ１２は、ダウンロード制御メタファイル３１の記述内容に従い、メタデータサーバ２４から再生制御メタファイル４１を、コンテンツサーバ２５からコンテンツを転送させて、ストレージ１３に蓄積させる。さらに、ダウンローダ１２は、転送させた再生制御メタファイル４１に基づいてローカルコンテンツリスト生成のためのメタＤＢ１３Ａを生成して、ストレージ１３に蓄積させる。【００８９】
またさらにダウンローダ１２は、DRMクライアント１６にライセンスの取得を依頼する。DRMクライアント１６は、ダウンローダ１２により取得されたダウンロード制御メタファイル３１の記述内容に従い、DRMサーバ２６にライセンスを要求して取得する。【００９０】
以上で、コンテンツなどをダウンロードする一連の処理の概要説明を終了する。【００９１】
次に、コンテンツなどをダウンロードする一連の処理のより詳細な動作について、図９のタイミングチャートおよび図１０のフローチャートを参照して説明する。なお、図９においては図示の都合によりメタデータサーバ２４とコンテンツサーバ２５を一体化しており、以降の図面においても同様の場合がある。図１０は、コンテンツなどをダウンロードする一連の処理のうち、特に受信装置１０のダウンローダ１２の処理について着目したものである。【００９２】
当該処理の前提は、上述した概要説明と同様である。初めに、ステップＳ１１において、受信装置１０のブラウザ１１が供給装置２０のWebサーバ２１にアクセスし、ユーザ認証を実行した後、ダウンロードナビゲーションページを表示するためのHTML文書などを取得すし、取得したHTML文書などに基づいてダウンロードナビゲーションページをユーザに提示する。このインタラクティブに操作可能なダウンロードナビゲーションページに対して、ユーザがコンテンツをダウンロード単位で選択する操作を行うと、ステップＳ１２において、ブラウザ１１は、ヘルプアプリケーションであるダウンローダ１２を起動させる。【００９３】
ステップＳ１３において、起動されたダウンローダ１２は、ブラウザ１１から通知されるメタデータサーバ２４のURIに基づいてメタデータサーバ２４にアクセスし、選択されたコンテンツのダウンロード単位に対応するダウンロード制御メタファイル３１を取得してストレージ１３に蓄積させる（図１０のステップＳ３１に相当する）。【００９４】
ステップＳ１４において、ダウンローダ１２は、取得したダウンロード制御メタファイル３１を解析し、ダウンロードタイミングを確認したり、ダウンロードするコンテンツのデータサイズを把握した上でストレージ１３の空き容量を確認したり、ストレージ１３にディレクトリを生成したりする処理を含む初期処理を実行する（図１０のステップＳ３２乃至Ｓ３５に相当する）。【００９５】
ステップＳ１５において、ダウンローダ１２は、ダウンロード制御メタファイル３１に記述されているメタデータサーバ２４のURIに基づきメタデータサーバ２４にアクセスして、選択されたダウンロード単位に含まれる全てのコンテンツにそれぞれ対応する再生制御メタファイル４１を取得し、取得した再生制御メタファイル４１に基づき、ステップＳ１６において、メタＤＢ１３Ａを生成して再生制御メタファイル４１とともにストレージ１３に蓄積させる（図１０のステップＳ３６に相当する）。【００９６】
ステップＳ１７において、ダウンローダ１２は、ダウンロード制御メタファイル３１に記述されているコンテンツサーバ２５のURIとコンテンツＩＤに基づき、コンテンツサーバ２５にアクセスして、選択されたダウンロード単位に含まれるコンテンツの転送を要求する。この要求に対応し、ステップＳ１８において、コンテンツサーバ２５は、要求されたコンテンツの転送を開始し、ダウンローダ１２は、転送されたコンテンツをストレージ１３に蓄積させる（図１０のステップＳ３７に相当する）。【００９７】
この転送の間、ステップＳ１９として、ダウンローダ１２は、通信障害などによって転送が中断された場合にも、通信障害復旧後に転送が中断した状態からコンテンツの転送を再開する処理を実行する。【００９８】
そして、選択されたダウンロード単位に含まれる全てのコンテンツのダウンロードが終了した後、ステップＳ２０において、ダウンローダ１２は、DRMクライアント１６にライセンスの取得を要求する（図１０のステップＳ３８およびＳ３９に相当する）。DRMクライアント１６は、ダウンロード制御メタファイル３１に記述されているDRMサーバ２６のURIとライセンスＩＤに基づき、DRMサーバ２６にアクセスし、DRM IDの通知などを含む認証処理を経た後にライセンスを取得し、取得したライセンスを自己で保持するとともにライセンスを取得したことをダウンローダ１２に通知する。なお、ここで取得したライセンスは、ダウンロード制御メタファイル３１に記述されているライセンスＩＤに対応するものであり、真のライセンスである場合もあるし、ダミーのライセンスである場合もある。【００９９】
一方、DRMサーバ２６は、ステップＳ２１において、DRMクライアント１６からライセンスが要求されたことを顧客管理サーバ２２に通知する。顧客管理サーバ２２は、この通知をコンテンツのダウンロードが完了したことの根拠として、課金・決済サーバ２３に対して顧客に対する課金・決済を実行させる（ただし、例えば、前払い固定料金など運用形態の場合、課金・決済は既に完了しているので、ここで課金・決済は実行されない）。【０１００】
また、顧客管理サーバ２２は、当該顧客の情報に、ダウンロード済みとなったコンテンツを示す情報を追加する。ここで追加された情報は、顧客毎にカスタマイズされるダウンロードナビゲーションページに反映される。したがって、これ以降、顧客は自己が既にダウンロードしたコンテンツをダウンロードナビゲーションページにおいて確認することができる。なお、コンテンツのダウンロードが完了し、これが供給装置２０側で認識された旨をダウンローダ１１に伝達し、受信装置１０のユーザに対して通知するようにしてもよい。【０１０１】
以上で、コンテンツなどをダウンロードする一連の処理の詳細な動作説明を終了する。
以上説明したように、当該処理により受信装置１０のストレージ１３には、コンテンツとそれに対応する再生制御メタファイル４１が蓄積され、DRMクライアント１６には、ストレージに蓄積されたコンテンツに対応するライセンス（ただし、ダミーライセンスの場合もある）が保持されることになる。【０１０２】
次に、受信装置１０にダウンロードされたコンテンツを再生する処理の概要について、図１１を参照して説明する。【０１０３】
ユーザからの所定の操作に対応し、ECG１４は、ストレージ１３に保持されているメタＤＢ１３Ａに基づき、ローカルコンテンツリストを生成してユーザに提示する。提示されたローカルコンテンツリストに対し、ユーザがコンテンツを選択して再生を指示すると、ECG１４によってＡＶプレイヤ１５が起動され、起動されたＡＶプレイヤ１５に対して再生するように選択されたコンテンツを示す情報がECG１４から通知される。【０１０４】
この通知に対応し、ＡＶプレイヤ１５は、当該コンテンツに対応する再生制御メタファイル４１をストレージ１３から読み出して解析し、当該コンテンツに対応する再生用ライセンスのライセンスＩＤを抽出して、当該ライセンスＩＤに対応する再生用ライセンスが既にDRMクライアント１６に保持されているか否かを確認する。【０１０５】
ここで、当該ライセンスＩＤに対応する再生用ライセンスがDRMクライアント１６に保持されていない場合、すなわち、DRMクライアント１６に保持されているライセンスがダミーのライセンスであったり、他の用途のライセンス（例えば、プレビュ再生用ライセンス、エキスポート用ライセンス）であったりした場合、ユーザから課金などの承諾が得られた後、DRMクライアント１６は、再生制御メタファイル４１に記述されているDRMサーバ２６のURIに基づいてDRMサーバ２６にアクセスし、再生制御メタファイル４１に記述されているライセンスＩＤの再生用ライセンスを取得し、その中に含まれるコンテンツ鍵ＫｃをＡＶプレイヤ１５に供給する。【０１０６】
この後、ＡＶプレイヤ１５は、当該コンテンツをストレージ１３から読み出し、DRMクライアント１６から供給されたコンテンツ鍵Ｋｃを用いてコンテンツの暗号を復号し、その結果得られる符号化データをデコードしてＡＶデータを得て、対応する映像を表示するとともに音声を出力する。【０１０７】
なお、真のライセンスであっても、有効期限や再生回数に制限を設けることができる。
このような場合、再生の度に再生可能な回数が減少することをユーザに通知するようにする。また、ライセンスが無効となったときには、ユーザの承諾が得られた後、再度課金して新たにライセンスを取得できるようになされている。【０１０８】
以上で、再生処理の概要説明を終了する。【０１０９】
次に、再生処理のより詳細な動作について、図１２のタイミングチャートおよび図１３のフローチャートを参照して説明する。なお、図１３は、再生処理のうち、特にＡＶプレイヤ１５の処理について着目したものである。【０１１０】
ユーザからの所定の操作に対応し、ステップＳ８１において、ECG１４は、ストレージ１３からメタＤＢ１３Ａを読み出し、ステップＳ８２において、読み出したメタＤＢ１３Ａに基づいてGUIであるローカルコンテンツリストを生成してユーザに提示する。【０１１１】
このローカルコンテンツリストに対し、ユーザがコンテンツを選択して再生を指示する操作を行うと、ステップＳ８３において、ECG１４は、ＡＶプレイヤ１５を起動し、起動したＡＶプレイヤ１５に対して再生が指示されたコンテンツを示す情報を通知する。【０１１２】
ステップＳ８４において、ＡＶプレイヤ１５は、当該コンテンツに対応する再生制御メタファイル４１をストレージ１３から読み出し、ステップＳ８５において、再生制御メタファイル４１を解析して、当該コンテンツに対応する再生用ライセンスのライセンスＩＤを抽出する（図１３のステップＳ９１に相当）。【０１１３】
さらに、ＡＶプレイヤ１５は、ステップＳ８６において、当該ライセンスＩＤに対応する再生用ライセンスが既にDRMクライアント１６に保持されているか否かを確認する（図１３のステップＳ９２に相当）。ここで、当該ライセンスＩＤに対応する再生用ライセンスがDRMクライアント１６に保持されていない場合、すなわち、DRMクライアント１６に保持されているライセンスがダミーのライセンスなどである場合（図１３のステップＳ９３のYESに相当）、ＡＶプレイヤ１５は、当該コンテンツを再生するために必要なライセンスを取得するには課金が発生することを通知するとともに、この課金の発生を承諾するか否かを確認するための確認メッセージをユーザに提示する（図１３のステップＳ９４に相当）。【０１１４】
そして、ユーザからライセンス取得によって生じる課金の承諾を得られた場合には（図１３のステップＳ９５のYESに相当）、DRMクライアント１６は、再生制御メタファイル４１に記述されているDRMサーバ２６のURIに基づいてDRMサーバ２６にアクセスし、再生制御メタファイル４１に記述されているライセンスＩＤに対応する再生用ライセンスを取得し、その中に含まれる利用条件を満たしているか判断した後にコンテンツ鍵ＫｃをＡＶプレイヤ１５に供給する（図１３のステップＳ９６に相当）。【０１１５】
コンテンツ鍵Ｋｃを取得したＡＶプレイヤ１５は、ステップＳ８７において、ストレージ１３に当該コンテンツの読み出しを指示し、ステップＳ８８において、この指示に応じてストレージ１３から供給されるコンテンツを再生する（コンテンツの暗号を復号し、その結果得られる符号化データをデコードしてＡＶデータを得、対応する映像を表示するとともに音声を出力する）（図１３のステップＳ９７に相当）。
＄
なお、確認メッセージをユーザに提示した結果、ユーザからライセンス取得によって生じる課金の承諾を得られなかった場合には（図１３のステップＳ９５のNOに相当）、ＡＶプレイヤ１５は、当該コンテンツを再生することができないことをユーザに提示して（図１３のステップＳ９８に相当）、このローカルコンテンツ再生処理を終了する。【０１１６】
なお、コンテンツの再生に際してＡＶプレイヤ１５はユーザの制御下となり各種の操作（早送り再生、早戻し再生など、頭だし再生などのトリックプレイ操作）が可能となる。【０１１７】
そして、コンテンツの再生が終了した後、ステップＳ８９において、ＡＶプレイヤ１５は、自身からコンテンツ鍵Ｋｃを消去するとともに、ユーザの制御下からECG１４の制御下に戻る処理を含む終了処理を実行する。【０１１８】
以上で、ダウンロード済みコンテンツの再生処理の説明を終了する。以上説明した再生処理によれば、コンテンツの再生に際して再生用ライセンスがDRMクライアント１６に取得されているか否か確認され、取得されていない場合、改めて再生用ライセンスがDRMサーバ２６から取得される。すなわち、コンテンツのダウンロード段階から通算して２回、ライセンスが取得される。【０１１９】
次に、受信装置１０にダウンロードされたコンテンツをエキスポートする処理の概要について、図１４を参照して説明する。【０１２０】
ユーザからの所定の操作に対応し、ECG１４は、ストレージ１３に保持されているメタＤＢ１３Ａに基づき、ローカルコンテンツリストを生成してユーザに提示する。提示されたローカルコンテンツリストに対し、ユーザがコンテンツを選択してエキスポートを指示すると、ECG１４によってＡＶプレイヤ１５が起動され、起動されたＡＶプレイヤ１５に対してエキスポートするように選択されたコンテンツを示す情報がECG１４から通知される。【０１２１】
この通知に対応し、ＡＶプレイヤ１５は、当該コンテンツに対応する再生制御メタファイル４１をストレージ１３から読み出して解析し、当該コンテンツに対応するエキスポート用ライセンスが既にDRMクライアント１６に保持されているか否かを確認する。【０１２２】
ここで、エキスポート用ライセンスがDRMクライアント１６に保持されていない場合、ユーザから課金などの承諾が得られた後、DRMクライアント１６は、再生制御メタファイル４１に記述されているDRMサーバ２６のURIとエキスポート用ライセンスのライセンスＩＤに基づき、DRMサーバ２６にアクセスしてエキスポート用ライセンスを取得する。そして、エキスポート用ライセンスに含まれるコンテンツ鍵ＫｃをＡＶプレイヤ１５に供給する。【０１２３】
この後、ＡＶプレイヤ１５は、当該コンテンツをストレージ１３から読み出し、DRMクライアント１６から供給されたコンテンツ鍵Ｋｃを用いてコンテンツの暗号を復号し、その結果得られる符号化データを外部出力部１７に供給する。外部出力部１７は、供給された符号化データの符号化方式などを適宜変換し、再度暗号化して後段の出力先に出力する。以上で、エキスポート処理の概要説明を終了する。【０１２４】
次に、エキスポート処理のより詳細な動作について、図１５のタイミングチャートおよび図１６のフローチャートを参照して説明する。なお、図１６は、エキスポート処理のうち、特にＡＶプレイヤ１５および外部出力部１７の処理について着目したものである。【０１２５】
ユーザからの所定の操作に対応し、ステップＳ１１１において、ECG１４は、ストレージ１３からメタＤＢ１３Ａを読み出し、ステップＳ１１２において、読み出したメタＤＢ１３Ａに基づいてGUIであるローカルコンテンツリストを生成してユーザに提示する。【０１２６】
このローカルコンテンツリストに対し、ユーザがコンテンツを選択してエキスポートを指示する操作を行うと、ステップＳ１１３において、ECG１４は、ＡＶプレイヤ１５を起動し、起動したＡＶプレイヤ１５に対してエキスポートが指示されたコンテンツを示す情報を通知する。【０１２７】
ステップＳ１１４において、ＡＶプレイヤ１５は、当該コンテンツに対応する再生制御メタファイル４１をストレージ１３から読み出し、ステップＳ１１５において、再生制御メタファイル４１を解析して、当該コンテンツに対応するエキスポート用ライセンスのライセンスＩＤを抽出する（図１６のステップＳ１３１に相当）。【０１２８】
さらに、ＡＶプレイヤ１５は、ステップＳ１１６において、当該ライセンスＩＤに対応するエキスポート用ライセンスが既にDRMクライアント１６に保持されているか否かを確認する（図１６のステップＳ１３２に相当）。ここで、エキスポート用ライセンスがDRMクライアント１６に保持されていない場合、エキスポート用ライセンス取得によって生じる課金の承諾をユーザから得た後（図１６のステップＳ１３３およびＳ１３４に相当）、DRMクライアント１６は、再生制御メタファイル４１に記述されているDRMサーバ２６のURIとエキスポート用ライセンスのライセンスＩＤに基づき、DRMサーバ２６にアクセスしてエキスポート用ライセンスを取得し、その中に含まれる利用条件を満たしているか判断した後にコンテンツ鍵ＫｃをＡＶプレイヤ１５に供給する（図１６のステップＳ１３５に相当）。【０１２９】
コンテンツ鍵Ｋｃを取得したＡＶプレイヤ１５は、ステップＳ１１７において、ストレージ１３に当該コンテンツの読み出しを指示し、ステップＳ１１８において、この指示に応じてストレージ１３から供給されるコンテンツの暗号を復号し、その結果得られる符号化データを外部出力部１７に供給する。ステップＳ１１９において、外部出力部１７は、供給された符号化データの符号化方式などを適宜変換し、再度暗号化して後段の出力先に出力する（図１６のステップＳ１３６に相当）。【０１３０】
そして、コンテンツのエキスポートが終了した後、ステップＳ１２０において、ＡＶプレイヤ１５は、自身からコンテンツ鍵Ｋｃを消去する処理を含む終了処理を実行する。【０１３１】
以上で、ダウンロード済みコンテンツのエキスポート処理の説明を終了する。以上説明したエキスポート処理によれば、コンテンツのエキスポートに際してエキスポート用ライセンスがDRMクライアント１６に取得済みか否か確認され、取得されていない場合、ユーザの承諾を得た後に当該ライセンスがDRMサーバ２６から取得される。【０１３２】
次に、本発明を適用したコンテンツダウンロードシステム１を利用して実現可能なダウンロードサービスの運用形態について説明する。運用形態とは、コンテンツの利用に対する課金タイミング、利用形態、およびコンテンツの多重利用の組み合わせを指す。【０１３３】
課金タイミングとしては、ダウンロード前課金、ダウンロード後課金、利用時課金の３種類のタイミングが想定されるが、ダウンロード前課金、ダウンロード後課金については、ブラウザ１１によって表示される画面において、課金が発生することをユーザに通知することができる。利用時課金については、ECG１４によって表示される画面において、課金発生の有無、料金などを表示し、ユーザに通知確認することができる。【０１３４】
利用形態としては、大別して再生（コンテンツの視聴）とエキスポート（外部機器への出力）の２種類がある。なお、再生についても、通常再生（例えば、７泊８日等の再生期限が設定されているもの、レンタル視聴とも記述する）、プレビュ（試視聴）、および通常の再生（レンタル視聴）の期限が切れた後に利用する追加再生（例えば、１泊追加等）の他、ダウンロードが完了する前に再生を開始するプログレッシブダウンロード再生）も想定される。さらに、DVDなどに対して１回コピーすることができるエキスポート用のライセンスも想定される。これらの利用形態毎にライセンスの利用条件も異なり、これらの区別は、ライセンスタイプとして再生制御メタファイル４１の<license_type>の項目に記述される。【０１３５】
１コンテンツの多重利用とは、ダウンロードしたコンテンツに対して１回の単一の利用形態のみを想定するのではなく、複数の利用形態を想定するものである、具体的には、ダウンロード済みコンテンツに対して、上述したライセンスタイプで識別される複数のライセンスによる複数の異なる利用形態と、利用形態毎の課金タイミングが設定され得る。例えば、予めダウンロード後課金で７泊８日の通常再生のライセンスが取得されたコンテンツに対し、ダウンロード後、さらに、DVDなどに対して１回コピーすることができるエキスポートのライセンスを追加で購入できるようにすること等が想定される。【０１３６】
以上説明した課金タイミング、利用形態、およびコンテンツの多重利用の組み合わせである運用形態はその種類を数多く想定できるが、現実的な運用を考慮して、以下のパターンａ乃至ｇの７通りの運用形態それぞれについて、ユーザに提示される画面の遷移、動作シーケンス、並びに対応するダウンロード制御メタファイル３１および再生メタファイル４１を説明する。【０１３７】
パターンａ：ダウンロード後課金・通常再生
パターンｂ：ダウンロード後課金・エキスポート
パターンｃ：利用時課金・再生
パターンｄ：利用時課金・エキスポート
パターンｅ：ダウンロード後課金・再生＋利用時課金・追加再生
パターンｆ：プレビュ＋利用時課金・エキスポート
パターンｇ：ダウンロード前課金・プログレッシブダウンロード再生＋通常再生【０１３８】
パターンａの運用形態は、コンテンツを７泊８日などの再生可能期間を設けてレンタル視聴させるサービスであり、コンテンツがダウンロードされた段階で課金を行う。【０１３９】
図１７は、パターンａの運用形態に対応する、ユーザに提示される画面の遷移を示している。初めに、ブラウザ１１によってダウンロードナビゲーション画面が表示され、ダウンロードナビゲーション画面においてユーザがダウンロードさせるコンテンツＡを選択すると、同図Ａに示されるように、コンテンツに対応する縮小画像、コンテンツの概要、「レンタル視聴」、「７泊８日」、「価格：３００円」などの情報と「購入＆ＤＬ」ボタンからなる確認画面が表示され、この確認画面において「購入＆ＤＬ（ダウンロード）」ボタンが操作されると、ダウンロードが開始される。そして、画面表示は同図Ｂに示すようなダウンロード中であることを示すものに遷移される。【０１４０】
コンテンツＡのダウンロード完了した後、ユーザから所定の操作が行われると、ECG１４により、同図Ｃに示すようなローカルコンテンツリストが表示される。このローカルコンテンツリストにおいてコンテンツＡが選択されると、同図Ｄに示すようなコンテンツＡの概要説明、縮小画像、「視聴」ボタンからなるコンテンツ詳細情報画面が表示され、「視聴」ボタンが操作されると、同図Ｅに示すように、ＡＶプレイヤ１５によってコンテンツＡの再生が開始される。なお、同図Ａおよび同図Ｄにおける各種の情報は、再生制御メタファイル４１の記述内容に基づいて表示される。【０１４１】
図１８は、パターンａの運用形態に対応した処理シーケンスを示している。パターンａでは、ブラウザ１１によって表示されたダウンロードナビゲーションページにおいてユーザによるコンテンツの選択と、購入操作（具体的には図１７のAの「購入＆ＤＬ」ボタンに対する操作）が行われると、顧客管理サーバ２２に購入登録が通知され、ダウンローダ１２によってダウンロード制御メタファイル３１が取得され、ダウンロード制御メタファイル３１に従いコンテンツがダウンロードされる。そして、コンテンツのダウンロードが完了したことに応じ、DRMクライアント１６からDRMサーバ２６に対してライセンスが要求され、DRMサーバ２６からDRMクライアント１６に再生用ライセンスが供給される。この段階で、顧客管理サーバ２２は、受信装置１０がコンテンツをダウンロード済みであることを把握することができるので、この段階で課金・決済サーバ２３により課金が行われる。またこれ以降、ダウンロードナビゲーションページには、ダウンロード済の情報が反映される。【０１４２】
その後、ダウンロード済みコンテンツに対する再生操作（具体的には図１７のDの「視聴」ボタンに対する操作）が行われると、ECG１４によりＡＶプレイヤ１５が起動され、ＡＶプレイヤ１５からDRMクライアント１６に対して再生用ライセンスの有無が確認される。いまの場合、再生用ライセンスが既に保持されているので、DRMクライアント１６により再生用ライセンスからコンテンツ鍵Ｋｃが抽出されてＡＶプレイヤ１５に供給され、ＡＶプレイヤ１５によってコンテンツの再生（暗号の復号と符号化の復号）が行われる。【０１４３】
なお、何らかの原因よって再生用ライセンスがDRMクライアント１６に保持されていなかった場合（例えば、通信障害などにより再生用ライセンスの取得に失敗していた場合など）には、DRMクライアント１６はDRMサーバ２６に対して当該ライセンスを要求することになる。この際、再生制御メタファイル４１の利用時確認フラグはオフとされているので（図２０を参照して後述）、ユーザの承諾を得る処理は実行されずに、当該ライセンスの取得が行われる。【０１４４】
図１９は、パターンａの運用形態に対応したダウンロード制御メタファイル３１の記述例を示している。パターンａの運用形態に対応したダウンロード制御メタファイル３１の特徴は、ライセンスＩＤの項目に、真のライセンスである再生用ライセンスのＩＤが記述される点である。【０１４５】
図２０は、パターンａの運用形態に対応した再生制御メタファイル４１の記述例を示している。パターンａの運用形態に対応した再生制御メタファイル４１の特徴は、ライセンスタイプの項目に通常再生、ライセンスＩＤの項目に、ダウンロード制御メタファイル３１のライセンスＩＤの項目に記述されたライセンスＩＤと同一の、真のライセンスである再生用ライセンスのＩＤが記述される点である。また、利用時確認フラグがオフとされている点である。【０１４６】
パターンｂの運用形態は、コンテンツをDVDに１回だけコピーさせるサービスであり、コンテンツがダウンロードされた段階で課金を行う。【０１４７】
図２１は、パターンｂの運用形態に対応する、ユーザに提示される画面の遷移を示している。初めに、ブラウザ１１によってダウンロードナビゲーション画面が表示され、ダウンロードナビゲーション画面においてユーザがダウンロードさせるコンテンツＡを選択すると、同図Ａに示されるように、コンテンツＡに対応する縮小画像、コンテンツＡの概要、「ＤＶＤコピー」、「価格：１０００円」などの情報と「購入＆ＤＬ」ボタンからなる確認画面が表示され、この確認画面において「購入＆ＤＬ」ボタンが操作されると、ダウンロードが開始される。そして、画面表示は同図Ｂに示すようなダウンロード中であることを示すものに遷移される。【０１４８】
コンテンツＡのダウンロード完了した後、ユーザから所定の操作が行われると、ECG１４により、同図Ｃに示すようなローカルコンテンツリストが表示される。このローカルコンテンツリストにおいてコンテンツＡが選択されると、同図Ｄに示すようなコンテンツＡの概要説明、縮小画像、「コピー」ボタンからなるコンテンツ詳細情報画面が表示され、「コピー」ボタンが操作されると、同図Ｅに示すように、ＡＶプレイヤ１５によってコンテンツＡのエキスポートが開始される。なお、同図Ａおよび同図Ｄにおける各種の情報は、再生制御メタファイル４１の記述内容に基づいて表示される。【０１４９】
図２２は、パターンｂの運用形態に対応した処理シーケンスを示している。パターンｂでは、ブラウザ１１によって表示されたダウンロードナビゲーションページにおいてユーザによるコンテンツの選択と、購入操作（具体的には図２１のAの「購入＆ＤＬ」ボタンに対する操作）が行われると、顧客管理サーバ２２に購入登録が通知され、ダウンローダ１２によってダウンロード制御メタファイル３１が取得され、ダウンロード制御メタファイル３１に従いコンテンツがダウンロードされる。そして、コンテンツのダウンロードが完了したことに応じ、DRMクライアント１６からDRMサーバ２６に対してライセンスが要求され、DRMサーバ２６からDRMクライアント１６にエキスポート用ライセンスが供給される。
この段階で、顧客管理サーバ２２は、受信装置１０がコンテンツをダウンロード済みであることを把握することができるので、この段階で課金・決済サーバ２３により課金が行われる。またこれ以降、ダウンロードナビゲーションページには、ダウンロード済の情報が反映される。【０１５０】
その後、ダウンロード済みコンテンツに対するエキスポート操作（具体的には図２１のDの「コピー」ボタンに対する操作）が行われると、ECG１４によりＡＶプレイヤ１５が起動され、ＡＶプレイヤ１５からDRMクライアント１６に対してエキスポート用ライセンスの有無が確認される。いまの場合、エキスポート用ライセンスが既に保持されているので、DRMクライアント１６によりエキスポート用ライセンスからコンテンツ鍵Ｋｃが抽出されてＡＶプレイヤ１５に供給され、ＡＶプレイヤ１５によってコンテンツの暗号が復号され、その結果得られた符号化データが外部出力部１７に供給され、適宜、符号化方式が変換され、再び暗号化されて出力先（DVDレコーダなど）に出力される。【０１５１】
なお、何らかの原因よってエキスポート用ライセンスがDRMクライアント１６に保持されていなかった場合（例えば、通信障害などによりエキスポート用ライセンスの取得に失敗していた場合など）には、DRMクライアント１６はDRMサーバ２６に対して当該ライセンスを要求することになる。この際、再生制御メタファイル４１の利用時確認フラグはオフとされているので（図２４を参照して後述）、ユーザの承諾を得る処理は実行されずに、当該ライセンスの取得が行われる。【０１５２】
図２３は、パターンｂの運用形態に対応したダウンロード制御メタファイル３１の記述例を示している。パターンｂの運用形態に対応したダウンロード制御メタファイル３１の特徴は、ライセンスＩＤの項目に、真のライセンスであるエキスポート用ライセンスのＩＤが記述される点である。【０１５３】
図２４は、パターンｂの運用形態に対応した再生制御メタファイル４１の記述例を示している。パターンｂの運用形態に対応した再生制御メタファイル４１の特徴は、ライセンスタイプの項目にDVDエキスポート、ライセンスＩＤの項目に、ダウンロード制御メタファイル３１のライセンスＩＤの項目に記述されたライセンスＩＤと同一の、真のライセンスであるエキスポート用ライセンスのＩＤが記述される点である。また、利用時確認フラグがオフとされている点である。【０１５４】
パターンｃの運用形態は、コンテンツを７泊８日などの再生可能期間を設けてレンタル視聴させるサービスであり、ダウンロードが再生される段階で課金を行う。【０１５５】
図２５は、パターンｃの運用形態に対応する、ユーザに提示される画面の遷移を示している。初めに、ブラウザ１１によってダウンロードナビゲーション画面が表示され、ダウンロードナビゲーション画面においてユーザがダウンロードさせるコンテンツＡを選択すると、同図Ａに示されるように、コンテンツＡに対応する縮小画像、コンテンツＡの概要、「ダウンロード」などの情報と「ＤＬ」ボタンからなる確認画面が表示され、この確認画面において「ＤＬ」ボタンが操作されると、ダウンロードが開始される。そして、画面表示は同図Ｂに示すようなダウンロード中であることを示すものに遷移される。【０１５６】
コンテンツＡのダウンロード完了した後、ユーザから所定の操作が行われると、ECG１４により、同図Ｃに示すようなローカルコンテンツリストが表示される。このローカルコンテンツリストにおいてコンテンツＡが選択されると、同図Ｄに示すようなコンテンツＡのライセンスに関する説明（「期限付き視聴」、「７泊８日」、および「価格:３００円」）、コンテンツの概要説明、縮小画像、「視聴」ボタンからなるコンテンツ詳細情報画面が表示され、「視聴」ボタンが操作されると、同図Ｅに示すように、ユーザに対して課金の承認を得るための確認画面に遷移し、確認画面において「ＯＫ」ボタンが操作された場合のみ、この段階で真のライセンスである再生用ライセンスが取得されて、同図Ｆに示すように、ＡＶプレイヤ１５によってコンテンツＡの再生が開始される。そして、当該コンテンツＡに対する視聴期限（いまの場合、７泊８日）内の２回目以降の再生時には、同図Ｄの後、同図Ｅへの遷移はスキップされ、ユーザに承認を得ることなく、直ちにコンテンツＡの再生が行われる。なお、同図Ａ、同図Ｄ、および同図Ｅにおける各種の情報は、再生制御メタファイル４１の記述内容に基づいて表示される。【０１５７】
図２６は、パターンｃの運用形態に対応した処理シーケンスを示している。パターンｃでは、ブラウザ１１によって表示されたダウンロードナビゲーションページにおいてユーザによるコンテンツの選択と、ダウンロード操作（具体的には図２５のAの「ＤＬ」ボタンに対する操作）が行われると、顧客管理サーバ２２に利用登録が通知され、ダウンローダ１２によってダウンロード制御メタファイル３１が取得され、ダウンロード制御メタファイル３１に従いコンテンツがダウンロードされる。そして、コンテンツのダウンロードが完了したことに応じ、DRMクライアント１６からDRMサーバ２６に対してライセンスが要求され、DRMサーバ２６からDRMクライアント１６にダミーライセンスが供給される。この段階で、顧客管理サーバ２２は、受信装置１０がコンテンツをダウンロード済みであることを把握することができる。これ以降、ダウンロードナビゲーションページには、ダウンロード済の情報が反映される。【０１５８】
その後、ダウンロード済みコンテンツに対する再生操作（具体的には図２５のDの「視聴」ボタンに対する操作）が行われると、ECG１４によりＡＶプレイヤ１５が起動され、ＡＶプレイヤ１５からDRMクライアント１６に対して再生用ライセンスの有無が確認される。いまの場合、ダミーライセンスしか保持せず、再生用ライセンスを保持していないので、DRMクライアント１６はDRMサーバ２６に対して、再生制御メタファイル４１に記述されているライセンスＩＤの再生用ライセンスを要求することになる。ただし、再生制御メタファイル４１の利用時確認フラグはオンとされているので（図２８を参照して後述）、この要求に先立って、課金発生の承諾をユーザから得る必要がある。そして、ユーザの承諾が得られた後、DRMクライアント１６はDRMサーバ２６に対して再生用ライセンスを要求する。【０１５９】
この要求に対応し、DRMサーバ２６は顧客管理サーバ２２の顧客情報を確認した後に再生用ライセンスをDRMクライアント１６に供給する。この段階で、顧客管理サーバ２２は、受信装置１０がコンテンツをダウンロード済みであって利用されることを把握できるので、課金・決済サーバ２３により課金が行われる。【０１６０】
受信装置１０では、DRMクライアント１６により再生用ライセンスからコンテンツ鍵Ｋｃが抽出されてＡＶプレイヤ１５に供給され、ＡＶプレイヤ１５によってコンテンツの再生（暗号の復号と符号化の復号）が行われる。【０１６１】
図２７は、パターンｃの運用形態に対応したダウンロード制御メタファイル３１の記述例を示している。パターンｃの運用形態に対応したダウンロード制御メタファイル３１の特徴は、ライセンスＩＤの項目に、ダミーライセンスのＩＤが記述される点である。【０１６２】
図２８は、パターンｃの運用形態に対応した再生制御メタファイル４１の記述例を示している。パターンｃの運用形態に対応した再生制御メタファイル４１の特徴は、ライセンスタイプの項目に通常再生、ライセンスＩＤの項目に、ダウンロード制御メタファイル３１のライセンスＩＤの項目に記述されたライセンスＩＤ（ダミーライセンスのライセンスＩＤ）とは異なる、真のライセンスである再生用ライセンスのＩＤが記述される点である。また、利用時確認フラグがオンとされている点である。【０１６３】
パターンｄの運用形態は、コンテンツをDVDに１回だけコピーさせるサービスであり、コンテンツがコピーされる段階で課金を行う。【０１６４】
図２９は、パターンｄの運用形態に対応する、ユーザに提示される画面の遷移を示している。初めに、ブラウザ１１によってダウンロードナビゲーション画面が表示され、ダウンロードナビゲーション画面においてユーザがダウンロードさせるコンテンツＡを選択すると、同図Ａに示されるように、コンテンツＡに対応する縮小画像、コンテンツＡの概要、「ダウンロード」などの情報と「ＤＬ」ボタンからなる確認画面が表示され、この確認画面において「ＤＬ」ボタンが操作されると、ダウンロードが開始される。そして、画面表示は同図Ｂに示すようなダウンロード中であることを示すものに遷移される。【０１６５】
コンテンツＡのダウンロード完了した後、ユーザから所定の操作が行われると、ECG１４により、同図Ｃに示すようなローカルコンテンツリストが表示される。このローカルコンテンツリストにおいてコンテンツＡが選択されると、同図Ｄに示すようなコンテンツＡのライセンスに関する説明（「ＤＶＤコピー１回」、および「価格:３００円」）、コンテンツＡの概要説明、縮小画像、「コピー」ボタンからなるコンテンツ詳細情報画面が表示され、「コピー」ボタンが操作されると、同図Ｅに示すように、ユーザに対して課金の承認を得るための確認画面に遷移し、確認画面において「ＯＫ」ボタンが操作された場合のみ、この段階で真のライセンスであるエキスポート用ライセンスが取得されて、同図Ｆに示すように、ＡＶプレイヤ１５および外部出力部１７によってコンテンツＡのエキスポートが開始される。なお、同図Ａ、同図Ｄ、および同図Ｅにおける各種の情報は、再生制御メタファイル４１の記述内容に基づいて表示される。【０１６６】
図３０は、パターンｄの運用形態に対応した処理シーケンスを示している。パターンｄでは、ブラウザ１１によって表示されたダウンロードナビゲーションページにおいてユーザによるコンテンツの選択と、ダウンロード操作（具体的には図２９のAの「ＤＬ」ボタンに対する操作）が行われると、顧客管理サーバ２２に利用登録が通知され、ダウンローダ１２によってダウンロード制御メタファイル３１が取得され、ダウンロード制御メタファイル３１に従いコンテンツがダウンロードされる。そして、コンテンツのダウンロードが完了したことに応じ、DRMクライアント１６からDRMサーバ２６に対してライセンスが要求され、DRMサーバ２６からDRMクライアント１６にダミーライセンスが供給される。この段階で、顧客管理サーバ２２は、受信装置１０がコンテンツをダウンロード済みであることを把握することができる。これ以降、ダウンロードナビゲーションページには、ダウンロード済の情報が反映される。【０１６７】
その後、ダウンロード済みコンテンツに対するエキスポート操作（具体的には図２９のDの「コピー」ボタンに対する操作）が行われると、ECG１４によりＡＶプレイヤ１５が起動され、ＡＶプレイヤ１５からDRMクライアント１６に対してエキスポート用ライセンスの有無が確認される。いまの場合、ダミーライセンスしか保持せず、エキスポート用ライセンスを保持していないので、DRMクライアント１６はDRMサーバ２６に対して、再生制御メタファイル４１に記述されているライセンスＩＤのエキスポート用ライセンスを要求することになる。ただし、再生制御メタファイル４１の利用時確認フラグはオンとされているので（図３２を参照して後述）、この要求に先立って、課金発生の承諾をユーザから得る必要がある。そして、ユーザの承諾が得られた後、DRMクライアント１６はDRMサーバ２６に対してエキスポート用ライセンスを要求する。【０１６８】
この要求に対応し、DRMサーバ２６は顧客管理サーバ２２の顧客情報を確認した後にエキスポート用ライセンスをDRMクライアント１６に供給する。この段階で、顧客管理サーバ２２は、受信装置１０がコンテンツをダウンロード済みであって利用されることを把握できるので、この段階で課金・決済サーバ２３により課金が行われる。【０１６９】
受信装置１０では、DRMクライアント１６によりエキスポート用ライセンスからコンテンツ鍵Ｋｃが抽出されてＡＶプレイヤ１５に供給され、ＡＶプレイヤ１５によってコンテンツの暗号が復号され、その結果得られた符号化データが外部出力部１７に供給され、適宜、符号化方式が変換され、再び暗号化されて出力先（DVDレコーダなど）に出力される。【０１７０】
図３１は、パターンｄの運用形態に対応したダウンロード制御メタファイル３１の記述例を示している。パターンｄの運用形態に対応したダウンロード制御メタファイル３１の特徴は、ライセンスＩＤの項目に、ダミーライセンスのＩＤが記述される点である。【０１７１】
図３２は、パターンｄの運用形態に対応した再生制御メタファイル４１の記述例を示している。パターンｄの運用形態に対応した再生制御メタファイル４１の特徴は、ライセンスタイプの項目にDVDエキスポート、ライセンスＩＤの項目に、ダウンロード制御メタファイル３１のライセンスＩＤの項目に記述されたライセンスＩＤ（ダミーライセンスのライセンスＩＤ）とは異なる、真のライセンスであるエキスポート用ライセンスのＩＤが記述される点である。また、利用時確認フラグがオンとされている点である。【０１７２】
パターンｅの運用形態は、コンテンツを７泊８日などの再生可能期間を設けてレンタル視聴させ、さらに再生可能期間を延長できるサービスであり、コンテンツがダウンロードされた段階で再生可能期間分の課金を行い、再生可能期間が延長されるときにその分が課金される。【０１７３】
図３３は、パターンｅの運用形態に対応する、ユーザに提示される画面の遷移を示している。初めに、ブラウザ１１によってダウンロードナビゲーション画面が表示され、ダウンロードナビゲーション画面においてユーザがダウンロードさせるコンテンツＡを選択すると、同図Ａに示されるように、コンテンツに対応する縮小画像、コンテンツの概要、「レンタル視聴」、「７泊８日」、「価格：３００円」などの情報と「購入＆ＤＬ」ボタンからなる確認画面が表示され、この確認画面において「購入＆ＤＬ」ボタンが操作されると、ダウンロードが開始される。そして、画面表示は同図Ｂに示すようなダウンロード中であることを示すものに遷移される。【０１７４】
コンテンツＡのダウンロード完了した後、ユーザから所定の操作が行われると、ECG１４により、同図Ｃに示すようなローカルコンテンツリストが表示される。このローカルコンテンツリストにおいてコンテンツＡが選択されると、同図Ｄに示すように、コンテンツＡの概要説明、縮小画像に加え、再生用ライセンスに関する情報「５月３１日まで  購入済」、および「視聴」ボタン、並びに、追加再生用ライセンスに関する情報「レンタル延長  １泊延長  １００円」および「延長視聴」ボタンからなるコンテンツ詳細情報画面が表示される。【０１７５】
ただし、再生可能期間内（いまの場合、５月３１日まで）には「視聴」ボタンだけ操作でき、「延長視聴」ボタンは操作できないようになされている。反対に、生可能期間終了後においては、「視聴」ボタンは操作できず、「延長視聴」ボタンだけが操作できるようになされている。なお、再生可能期間内には追加再生に関する情報と「延長視聴」ボタンを表示せず、再生可能期間終了後にこれらを表示するようにしてもよい。【０１７６】
また、供給装置２０側においても、再生可能期間内（いまの場合、５月３１日まで）には、追加再生用ライセンスを供給しないようになされている。【０１７７】
コンテンツ詳細情報画面において「視聴」ボタンが操作されると、同図Ｅに示すように、ＡＶプレイヤ１５によってコンテンツＡの再生が開始される。そして、再生可能期間終了後にコンテンツ詳細情報画面において「延長視聴」ボタンが操作されると、同図Ｆに示すように、ユーザに対して課金の承認を得るための確認画面に遷移し、確認画面において「ＯＫ」ボタンが操作された場合のみ、追加再生用ライセンスが取得されて、同図Ｇに示すように、ＡＶプレイヤ１５によってコンテンツＡの再生が開始される。【０１７８】
なお、同図Ａ、同図Ｄ、および同図Ｆにおける各種の情報は、再生制御メタファイル４１の記述内容に基づいて表示される。【０１７９】
図３４は、パターンｅの運用形態に対応した処理シーケンスを示している。パターンｅでは、ブラウザ１１によって表示されたダウンロードナビゲーションページにおいてユーザによるコンテンツの選択と、購入操作（具体的には図３３のAの「購入＆ＤＬ」ボタンに対する操作）が行われると、顧客管理サーバ２２に購入登録が通知され、ダウンローダ１２によってダウンロード制御メタファイル３１が取得され、ダウンロード制御メタファイル３１に従いコンテンツがダウンロードされる。そして、コンテンツのダウンロードが完了したことに応じ、DRMクライアント１６からDRMサーバ２６に対してライセンスが要求され、DRMサーバ２６からDRMクライアント１６に再生用ライセンスが供給される。この段階で、顧客管理サーバ２２は、受信装置１０がコンテンツをダウンロード済みであることを把握することができるので、この段階で課金・決済サーバ２３により課金が行われる。またこれ以降、ダウンロードナビゲーションページには、ダウンロード済の情報が反映される。【０１８０】
その後、再生可能期間内にダウンロード済みコンテンツに対する再生操作（具体的には図３３のDの「視聴」ボタンに対する操作）が行われると、ECG１４によりＡＶプレイヤ１５が起動され、ＡＶプレイヤ１５からDRMクライアント１６に対して再生用ライセンスの有無が確認される。いまの場合、再生用ライセンスが既に保持されているので、DRMクライアント１６により再生用ライセンスからコンテンツ鍵Ｋｃが抽出されてＡＶプレイヤ１５に供給され、ＡＶプレイヤ１５によってコンテンツの再生（暗号の復号と符号化の復号）が行われる。【０１８１】
なお、何らかの原因よって再生用ライセンスがDRMクライアント１６に保持されていなかった場合（例えば、通信障害などにより再生用ライセンスの取得に失敗していた場合など）には、DRMクライアント１６はDRMサーバ２６に対して当該ライセンスを要求することになる。この際、再生制御メタファイル４１の利用時確認フラグはオフとされているので（図３６を参照して後述）、ユーザの承諾を得る処理は実行されずに、当該ライセンスの取得が行われる。【０１８２】
さらに時間が経過して再生可能期間が終了すると当該コンテンツに対する再生操作（具体的には図３３のDの「視聴」ボタンに対する操作）はできなくなり、代わりに「延長視聴」ボタンに対する操作が可能となる。「延長視聴」ボタンに対する操作が行われると、ECG１４によりＡＶプレイヤ１５が起動され、ＡＶプレイヤ１５からDRMクライアント１６に対して追加再生用ライセンスの有無が確認される。いまの場合、再生可能期間が過ぎた再生用ライセンスしか保持せず、追加再生用ライセンスを保持していないので、DRMクライアント１６はDRMサーバ２６に対して、再生制御メタファイル４１に記述されているライセンスＩＤの追加再生用ライセンスを要求することになる。ただし、再生制御メタファイル４１の追加再生用ライセンスに対応する利用時確認フラグはオンとされているので（図３６を参照して後述）、この要求に先立って、課金発生の承諾をユーザから得る必要がある。そして、ユーザの承諾が得られた後、DRMクライアント１６はDRMサーバ２６に対して追加再生用ライセンスを要求する。【０１８３】
この要求に対応し、DRMサーバ２６は顧客管理サーバ２２の顧客情報を確認した後に追加再生用ライセンスをDRMクライアント１６に供給する。この段階で課金・決済サーバ２３により追加再生用ライセンス取得に対する課金が行われる。【０１８４】
受信装置１０では、DRMクライアント１６により追加再生用ライセンスからコンテンツ鍵Ｋｃが抽出されてＡＶプレイヤ１５に供給され、ＡＶプレイヤ１５によってコンテンツの再生（暗号の復号と符号化の復号）が行われる。【０１８５】
図３５は、パターンｅの運用形態に対応したダウンロード制御メタファイル３１の記述例を示している。パターンｅの運用形態に対応したダウンロード制御メタファイル３１の特徴は、ライセンスＩＤの項目に、真のライセンスである再生用ライセンスのＩＤが記述される点である。【０１８６】
図３６は、パターンｅの運用形態に対応した再生制御メタファイル４１の記述例を示している。パターンｅの運用形態に対応した再生制御メタファイル４１の特徴は、２種類のライセンスが記述されていることである。２種類のライセンスのうちの一方のライセンスについては、ライセンスタイプの項目に通常再生、ライセンスＩＤの項目に、ダウンロード制御メタファイル３１のライセンスＩＤの項目に記述されたライセンスＩＤと同一の、真のライセンスである再生用ライセンスのＩＤが記述され、利用時確認フラグがオフとされている点である。また、２種類のライセンスのうちの他方のライセンスについては、ライセンスタイプの項目に追加再生、ライセンスＩＤの項目に、ダウンロード制御メタファイル３１のライセンスＩＤの項目に記述されたライセンスＩＤとは異なる、真のライセンスである追加再生用ライセンスのＩＤが記述され、利用時確認フラグがオンとされている点である。【０１８７】
パターンｆの運用形態は、コンテンツを１０分間程度の短時間だけ無料で試視聴させた後、コンテンツをDVDに１回だけコピーさせるサービスであり、コピーが実行されるときに課金される。【０１８８】
図３７は、パターンｆの運用形態に対応する、ユーザに提示される画面の遷移を示している。初めに、ブラウザ１１によってダウンロードナビゲーション画面が表示され、ダウンロードナビゲーション画面においてユーザがダウンロードさせるコンテンツＡを選択すると、同図Ａに示されるように、コンテンツに対応する縮小画像、コンテンツの概要、「ＤＬ」ボタンからなる確認画面が表示され、この確認画面において「ＤＬ」ボタンが操作されると、ダウンロードが開始される。そして、画面表示は同図Ｂに示すようなダウンロード中であることを示すものに遷移される。【０１８９】
コンテンツＡのダウンロード完了した後、ユーザから所定の操作が行われると、ECG１４により、同図Ｃに示すようなローカルコンテンツリストが表示される。このローカルコンテンツリストにおいてコンテンツＡが選択されると、同図Ｄに示すように、コンテンツＡの概要説明、縮小画像に加えて、プレビュ再生用ライセンスに関する情報「プレビュ  １０分  無料」、および「視聴」ボタン、並びに、エキスポート用ライセンスに関する情報「DVDコピー  １回  １０００円」および「コピー」ボタンからなるコンテンツ詳細情報画面が表示される。なお、プレビュ視聴を指示する「視聴」ボタンは１回だけ操作可能となされている。【０１９０】
コンテンツ詳細情報画面において「視聴」ボタンが操作されると、同図Ｅに示すように、許容されている時間（いまの場合、１０分間）だけＡＶプレイヤ１５によってコンテンツＡの再生が開始される。また、「コピー」ボタンが操作されると、同図Ｆに示すように、ユーザに対して課金の承認を得るための確認画面に遷移し、確認画面において「ＯＫ」ボタンが操作された場合のみ、エキスポート用ライセンスが取得されて、同図Ｇに示すように、ＡＶプレイヤ１５および外部出力部１７によってコンテンツＡのエキスポートが開始される。【０１９１】
なお、同図Ａ、同図Ｄ、および同図Ｆにおける各種の情報は、再生制御メタファイル４１の記述内容に基づいて表示される。【０１９２】
図３８は、パターンｆの運用形態に対応した処理シーケンスを示している。パターンｆでは、ブラウザ１１によって表示されたダウンロードナビゲーションページにおいてユーザによるコンテンツの選択と、ダウンロード操作（具体的には図３７のAの「ＤＬ」ボタンに対する操作）が行われると、顧客管理サーバ２２に利用登録が通知され、ダウンローダ１２によってダウンロード制御メタファイル３１が取得され、ダウンロード制御メタファイル３１に従いコンテンツがダウンロードされる。そして、コンテンツのダウンロードが完了したことに応じ、DRMクライアント１６からDRMサーバ２６に対してライセンスが要求され、DRMサーバ２６からDRMクライアント１６にダミーライセンスが供給される。この段階で、顧客管理サーバ２２は、受信装置１０がコンテンツをダウンロード済みであることを把握することができるので、これ以降、ダウンロードナビゲーションページには、ダウンロード済の情報が反映される。【０１９３】
その後、再生可能期間内にダウンロード済みコンテンツに対するプレビュ操作（具体的には図３７のDの「視聴」ボタンに対する操作）が行われると、ECG１４によりＡＶプレイヤ１５が起動され、ＡＶプレイヤ１５からDRMクライアント１６に対してプレビュ再生用ライセンスの有無が確認される。いまの場合、ダミーライセンスしか保持せず、プレビュ再生用ライセンスを保持していないので、DRMクライアント１６はDRMサーバ２６に対して、再生制御メタファイル４１に記述されているライセンスＩＤのプレビュ再生用ライセンスを要求することになる。この際、再生制御メタファイル４１のプレビュ再生用ライセンスに対応する利用時確認フラグはオフとされているので（図４０を参照して後述）、ユーザの承諾を得る処理は実行されずに、当該プレビュ再生用ライセンスの取得が行われる。【０１９４】
そして、DRMクライアント１６によりプレビュ再生用ライセンスからコンテンツ鍵Ｋｃが抽出されてＡＶプレイヤ１５に供給され、ＡＶプレイヤ１５によってコンテンツの再生（暗号の復号と符号化の復号）が行われる。なお、プレビュ再生用ライセンスは１回のみ利用可能である。【０１９５】
また、DRMサーバ２６は、プレビュ再生用ライセンスを２回以上供給しないようになされている。【０１９６】
ダウンロード済みコンテンツに対するエキスポート操作（具体的には図３７のDの「コピー」ボタンに対する操作）が行われると、ECG１４によりＡＶプレイヤ１５が起動され、ＡＶプレイヤ１５からDRMクライアント１６に対してエキスポート用ライセンスの有無が確認される。いまの場合、エキスポート用ライセンスを保持していないので、DRMクライアント１６はDRMサーバ２６に対して、再生制御メタファイル４１に記述されているライセンスＩＤのエキスポート用ライセンスを要求することになる。ただし、再生制御メタファイル４１の利用時確認フラグはオンとされているので（図４０を参照して後述）、この要求に先立って、課金発生の承諾をユーザから得る必要がある。そして、ユーザの承諾が得られた後、DRMクライアント１６はDRMサーバ２６に対してエキスポート用ライセンスを要求する。【０１９７】
この要求に対応し、DRMサーバ２６は顧客管理サーバ２２の顧客情報を確認した後にエキスポート用ライセンスをDRMクライアント１６に供給する。この段階で、顧客管理サーバ２２は、受信装置１０がコンテンツをダウンロード済みであって利用されることを把握できるので、課金・決済サーバ２３により課金が行われる。【０１９８】
受信装置１０では、DRMクライアント１６によりエキスポート用ライセンスからコンテンツ鍵Ｋｃが抽出されてＡＶプレイヤ１５に供給され、ＡＶプレイヤ１５によってコンテンツの暗号が復号され、その結果得られた符号化データが外部出力部１７に供給され、適宜、符号化方式が変換され、再び暗号化されて出力先（DVDレコーダなど）に出力される。【０１９９】
図３９は、パターンｆの運用形態に対応したダウンロード制御メタファイル３１の記述例を示している。パターンｆの運用形態に対応したダウンロード制御メタファイル３１の特徴は、ライセンスＩＤの項目に、ダミーライセンスのＩＤが記述される点である。【０２００】
図４０は、パターンｆの運用形態に対応した再生制御メタファイル４１の記述例を示している。パターンｆの運用形態に対応した再生制御メタファイル４１の特徴は、２種類のライセンスが記述されていることである。２種類のライセンスのうちの一方のライセンスについては、ライセンスタイプの項目にプレビュ再生、ライセンスＩＤの項目に、ダウンロード制御メタファイル３１のライセンスＩＤの項目に記述されたライセンスＩＤとは異なる、真のライセンスであるプレビュ再生用ライセンスのＩＤが記述され、利用時確認フラグがオフとされている点である。また、２種類のライセンスのうちの他方のライセンスについては、ライセンスタイプの項目にDVDエキスポート、ライセンスＩＤの項目に、ダウンロード制御メタファイル３１のライセンスＩＤの項目に記述されたライセンスＩＤとは異なる、真のライセンスであるエキスポート用ライセンスのＩＤが記述され、利用時確認フラグがオンとされている点である。【０２０１】
パターンｇの運用形態は、コンテンツのプログレッシブダウンロード再生（ダウンロードの完了を待たずに再生を開始する）と、ダウンロード完了後の通常再生（レンタル視聴）とができるサービスであり、それぞれ利用時に課金される。なお、プログレッシブダウンロード再生と、ダウンロード完了後の通常再生では課金額が異なり、プログレッシブダウンロード再生の方が通信障害や１回限りの再生など若干のリスクを生じる可能性があるので、通常再生よりも課金額は安く設定される。【０２０２】
図４１は、パターンｇの運用形態に対応する、ユーザに提示される画面の遷移を示している。初めに、ブラウザ１１によってダウンロードナビゲーション画面が表示され、ダウンロードナビゲーション画面においてユーザがダウンロードさせるコンテンツＡを選択すると、同図Ａに示されるように、コンテンツに対応する縮小画像、コンテンツの概要、「ＤＬ」ボタンからなる確認画面が表示され、この確認画面において「ＤＬ」ボタンが操作されると、ダウンロードが開始される。そして、画面表示は同図Ｂに示すようなダウンロード中であることを示すものに遷移される。【０２０３】
コンテンツＡがダウンロードされている最中に、ユーザから所定の操作が行われると、ECG１４により、同図Ｃに示すようなローカルコンテンツリストが表示される。このローカルコンテンツリストにおいてコンテンツＡが選択されると、同図Ｄに示すように、コンテンツＡの概要説明、縮小画像に加えて、プログレッシブダウンロード再生に関する情報「ＤＬ完了前視聴  １２０分  ２００円」と「視聴ボタン」並びに、通常再生に関する情報「レンタル視聴  ７泊８日  ３００円」と「視聴」ボタンからなるコンテンツ詳細情報画面が表示される。なお、プログレッシブダウンロード再生の可否は、対応するライセンスの有無の他、コンテンツＡのデータサイズ、転送済みデータ量、データ通信速度などに基づいてECG１４によって判定され、プログレッシブダウンロード再生が可である状態になったとき、プログレッシブダウンロード再生を指示する「視聴」ボタンが操作可能とされる。このとき、通常再生を指示する「視聴」ボタンは操作不可能とされている。そして、コンテンツＡのダウンロードが完了した後、プログレッシブダウンロード再生を指示する「視聴」ボタンが操作不可能とされ、通常再生を指示する「視聴」ボタンが操作可能とされる。【０２０４】
なお、供給装置２０側では、コンテンツのダウンロード中にはプログレッシブダウンロード用ライセンスのみを供給し、再生用ライセンスは供給しないようになされている。反対に、コンテンツのダウンロードが完了した後にはプログレッシブダウンロード用ライセンスを供給せず、再生用ライセンスを供給するようになされている。【０２０５】
コンテンツＡのダウンロード中におけるコンテンツ詳細情報画面においてプログレッシブダウンロード再生を指示する「視聴」ボタンが操作されると、同図Ｅに示すように、ユーザに対して課金の承認を得るための確認画面に遷移し、確認画面において「ＯＫ」ボタンが操作されると、同図Ｆに示すように、コンテンツＡの再生が開始される。【０２０６】
また、コンテンツＡのダウンロードが完了した後におけるコンテンツ詳細情報画面において通常再生を指示する「視聴」ボタンが操作されると、同図Ｇに示すように、ユーザに対して課金の承認を得るための確認画面に遷移し、確認画面において「ＯＫ」ボタンが操作されると、同図Ｈに示すように、コンテンツＡの再生が開始される。【０２０７】
なお、同図Ａ、同図Ｄ、同図Ｅ、および同図Ｇにおける各種の情報は、再生制御メタファイル４１の記述内容に基づいて表示される。【０２０８】
図４２は、パターンｇの運用形態に対応した処理シーケンスを示している。パターンｇでは、ブラウザ１１によって表示されたダウンロードナビゲーションページにおいてユーザによるコンテンツの選択と、ダウンロード操作（具体的には図４１のAの「ＤＬ」ボタンに対する操作）が行われると、顧客管理サーバ２２に利用登録が通知され、ダウンローダ１２によってダウンロード制御メタファイル３１が取得され、ダウンロード制御メタファイル３１に従いコンテンツがダウンロードされる。そして、コンテンツがダウンロードされている最中にプログレッシブダウンロード再生操作（具体的には図４１のDのプログレッシブダウンロード再生を指示する「視聴」ボタンに対する操作）が行われると、ECG１４によりＡＶプレイヤ１５が起動され、ＡＶプレイヤ１５からDRMクライアント１６に対してプログレッシブダウンロード用ライセンスの有無が確認される。いまの場合、いずれのライセンスも保持していないので、DRMクライアント１６はDRMサーバ２６に対して、再生制御メタファイル４１に記述されているライセンスＩＤのプログレッシブダウンロード用ライセンスを要求することになる。この際、再生制御メタファイル４１のプログレッシブダウンロード用ライセンスに対応する利用時確認フラグはオンとされているので（図４４を参照して後述）、この要求に先立って、課金発生の承諾をユーザから得る必要がある。
そして、ユーザの承諾が得られた後、DRMクライアント１６はDRMサーバ２６に対してプログレッシブダウンロード用ライセンスを要求する。【０２０９】
この要求に対応し、DRMサーバ２６は顧客管理サーバ２２の顧客情報を確認した後にプログレッシブダウンロード用ライセンスをDRMクライアント１６に供給する。この段階で、顧客管理サーバ２２は、受信装置１０によるコンテンツの利用（プログレッシブダウンロード再生）を把握できるので、課金・決済サーバ２３により課金が行われる。【０２１０】
受信装置１０では、DRMクライアント１６によりプログレッシブダウンロード用ライセンスからコンテンツ鍵Ｋｃが抽出されてＡＶプレイヤ１５に供給され、ＡＶプレイヤ１５によってコンテンツの再生（暗号の復号と符号化の復号）が行われる。【０２１１】
そして、コンテンツのダウンロードが完了したことに応じ、DRMクライアント１６からDRMサーバ２６に対してライセンスが要求され、DRMサーバ２６からDRMクライアント１６にダミーライセンスが供給される。この段階で、顧客管理サーバ２２は、受信装置１０がコンテンツをダウンロード済みであることを把握することができるので、これ以降、ダウンロードナビゲーションページには、ダウンロード済の情報が反映される。【０２１２】
その後、ダウンロード済みコンテンツに対する再生操作（具体的には図４１のDの通常再生を指示する「視聴」ボタンに対する操作）が行われると、ECG１４によりＡＶプレイヤ１５が起動され、ＡＶプレイヤ１５からDRMクライアント１６に対して再生用ライセンスの有無が確認される。いまの場合、ダミーライセンスとプログレッシブダウンロード用ライセンスしか保持せず、再生用ライセンスを保持していないので、DRMクライアント１６はDRMサーバ２６に対して、再生制御メタファイル４１に記述されているライセンスＩＤの再生用ライセンスを要求することになる。ただし、再生制御メタファイル４１の利用時確認フラグはオンとされているので（図４４を参照して後述）、この要求に先立って、課金発生の承諾をユーザから得る必要がある。そして、ユーザの承諾が得られた後、DRMクライアント１６はDRMサーバ２６に対して再生用ライセンスを要求する。【０２１３】
この要求に対応し、DRMサーバ２６は顧客管理サーバ２２の顧客情報を確認した後に再生用ライセンスをDRMクライアント１６に供給する。この段階で、顧客管理サーバ２２は、受信装置１０がコンテンツをダウンロード済みであって利用されることを把握できるので、課金・決済サーバ２３により課金が行われる。【０２１４】
受信装置１０では、DRMクライアント１６により再生用ライセンスからコンテンツ鍵Ｋｃが抽出されてＡＶプレイヤ１５に供給され、ＡＶプレイヤ１５によってコンテンツの再生（暗号の復号と符号化の復号）が行われる。【０２１５】
図４３は、パターンｇの運用形態に対応したダウンロード制御メタファイル３１の記述例を示している。パターンｇの運用形態に対応したダウンロード制御メタファイル３１の特徴は、ライセンスＩＤの項目に、ダミーライセンスのＩＤが記述される点である。【０２１６】
図４４は、パターンｇの運用形態に対応した再生制御メタファイル４１の記述例を示している。パターンｇの運用形態に対応した再生制御メタファイル４１の特徴は、２種類のライセンスが記述されていることである。２種類のライセンスのうちの一方のライセンスについては、ライセンスタイプの項目にプログレッシブダウンロード再生、ライセンスＩＤの項目に、ダウンロード制御メタファイル３１のライセンスＩＤの項目に記述されたライセンスＩＤとは異なる、真のライセンスであるプログレッシブダウンロード用ライセンスのＩＤが記述され、利用時確認フラグがオンとされている点である。また、２種類のライセンスのうちの他方のライセンスについては、ライセンスタイプの項目に通常再生、ライセンスＩＤの項目に、ダウンロード制御メタファイル３１のライセンスＩＤの項目に記述されたライセンスＩＤとは異なる、真のライセンスである再生用ライセンスのＩＤが記述され、利用時確認フラグがオンとされている点である。【０２１７】
以上で、パターンａ乃至ｇの運用形態それぞれについての説明を終了する。【０２１８】
以上説明したように、本発明を適用したコンテンツダウンロードシステム１によれば、受信装置１０の基本的な動作を共通としたまま、上述したパターンａ乃至ｇのような様々な運用形態に対応することができる。【０２１９】
本発明は、映像コンテンツに限らず、楽曲、文章、コンピュータプログラムなどあらゆるコンテンツのダウンロードサービスに適用することが可能である。【０２２０】
ところで、上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。【０２２１】
図４５は、上述した一連の処理をプログラムにより実行するコンピュータのハードウェアの構成例を示すブロック図である。【０２２２】
このコンピュータ１００において、CPU(Central Processing Unit)１０１，ROM(Read Only Memory)１０２，RAM(Random Access Memory)１０３は、バス１０４により相互に接続されている。【０２２３】
バス１０４には、さらに、入出力インタフェース１０５が接続されている。入出力インタフェース１０５には、キーボード、マウス、マイクロホンなどよりなる入力部１０６、ディスプレイ、スピーカなどよりなる出力部１０７、ハードディスクや不揮発性のメモリなどよりなる記憶部１０８、ネットワークインタフェースなどよりなる通信部１０９、磁気ディスク、光ディスク、光磁気ディスク、或いは半導体メモリなどのリムーバブルメディア１１１を駆動するドライブ１１０が接続されている。【０２２４】
以上のように構成されるコンピュータ１００では、CPU１０１が、例えば、記憶部１０８に記憶されているプログラムを、入出力インタフェース１０５およびバス１０４を介して、RAM１０３にロードして実行することにより、上述した一連の処理が行われる。【０２２５】
なお、コンピュータ１００が実行するプログラムは、本明細書で説明する順序に沿って時系列に処理が行われるプログラムであっても良いし、並列に、あるいは呼び出しが行われたとき等の必要なタイミングで処理が行われるプログラムであっても良い。【０２２６】
また、プログラムは、１台のコンピュータにより処理されるものであってもよいし、複数のコンピュータによって分散処理されるものであってもよい。さらに、プログラムは、遠方のコンピュータに転送されて実行されるものであってもよい。【０２２７】
また、本明細書において、システムとは、複数の装置により構成される装置全体を表すものである。【０２２８】
なお、本発明の実施の形態は、上述した実施の形態に限定されるものではなく、本発明の要旨を逸脱しない範囲において種々の変更が可能である。
【図１】
2008146913.tif 000003
【図２】
2008146913.tif 000004
【図３】
2008146913.tif 000005
【図４】
2008146913.tif 000006
【図５】
2008146913.tif 000007
【図６】
2008146913.tif 000008
【図７】
2008146913.tif 000009
【図８】
2008146913.tif 000010
【図９】
2008146913.tif 000011
【図１０】
2008146913.tif 000012
【図１１】
2008146913.tif 000013
【図１２】
2008146913.tif 000014
【図１３】
2008146913.tif 000015
【図１４】
2008146913.tif 000016
【図１５】
2008146913.tif 000017
【図１６】
2008146913.tif 000018
【図１７】
2008146913.tif 000019
【図１８】
2008146913.tif 000020
【図１９】
2008146913.tif 000021
【図２０】
2008146913.tif 000022
【図２１】
2008146913.tif 000023
【図２２】
2008146913.tif 000024
【図２３】
2008146913.tif 000025
【図２４】
2008146913.tif 000026
【図２５】
2008146913.tif 000027
【図２６】
2008146913.tif 000028
【図２７】
2008146913.tif 000029
【図２８】
2008146913.tif 000030
【図２９】
2008146913.tif 000031
【図３０】
2008146913.tif 000032
【図３１】
2008146913.tif 000033
【図３２】
2008146913.tif 000034
【図３３】
2008146913.tif 000035
【図３４】
2008146913.tif 000036
【図３５】
2008146913.tif 000037
【図３６】
2008146913.tif 000038
【図３７】
2008146913.tif 000039
【図３８】
2008146913.tif 000040
【図３９】
2008146913.tif 000041
【図４０】
2008146913.tif 000042
【図４１】
2008146913.tif 000043
【図４２】
2008146913.tif 000044
【図４３】
2008146913.tif 000045
【図４４】
2008146913.tif 000046
【図４５】
2008146913.tif 000047
【国際調査報告】
2008146913.tif 000048
2008146913.tif 000049
2008146913.tif 000050
2008146913.tif 000051